【事件の表示】
　特許第２９３９９６７号「磁気記録再生装置」の請求項１ないし３に係る特許に対する特許異議の申立てについて、次のとおり決定する。
【結　論】
　訂正を認める。
　特許第２９３９９６７号の請求項１に係る特許を維持する。
【理　由】
  １．手続の経緯
　本件特許第２９３９９６７号の請求項１に係る発明についての出願は、平成６年１０月７日に出願され、平成１１年６月１８日に特許権の設定登録がなされ、平成１２年２月２５日に金子和弘より特許異議の申立てがなされ、取消理由が通知され、その指定期間内である平成１２年８月７日に訂正請求がなされ、さらに取消理由が通知され、その指定期間内である平成１２年１１月２４日に再度訂正請求がなされたものである。
　
２．訂正の適否についての判断
(１)訂正の内容
　平成１２年１１月２４日付けの訂正請求の内容は、以下のとおりである。
１）訂正事項a
特許査定時の明細書の特許請求の範囲の請求項1に係る記載
「【請求項1】
(イ)一定に回転させる回転ドラム上に搭載された第１のアジマス角度のヘッドと第２のアジマス角度のヘッドとにより入力デジタル信号を磁気記録媒体に記録し、再生する磁気記録再生装置において、
(ロ)前記磁気記録媒体を予め定められた基準となる第１の走行速度で走行駆動すると共に、前記磁気記録媒体を第１の走行速度に対して１／ｎ倍、あるいはｎ倍(ｎは自然数)となる第２の走行速度で走行駆動する走行手段を備え、
(ハ)記録時には、前記磁気記録媒体を前記第１の走行速度で走行駆動させ、前記第１の走行速度に対応した情報信号と基準となるデータレートを有する入力デジタル信号とを記録し、
(二)また、前記磁気記録媒体を前記第２の走行速度で走行駆動させ、前記第２の走行速度に対応した情報信号と前記入力デジタル信号と異なるデータレートを有する入力デジタル信号とを記録し、
(ホ)再生時には、前記磁気記録媒体から再生された前記情報信号に基づいて前記磁気記録媒体に記録された信号を再生することを特徴とした磁気記録再生装置。」
を、
「【請求項1】
(イ')一定に回転させる回転ドラム上に互いに略180度対向して搭載された第１のアジマス角度を有する第１のヘッドと第２のアジマス角度を有する第２のヘッドとを有し、入力デジタル信号を磁気記録媒体に記録し再生する磁気記録再生装置において、
(イ”)前記第１のヘッドと前記第２のヘッドとを前記記録媒体上で時間的に交互に走査させて、前記入力デジタル信号を含む記録信号を記録することにより、前記第１のヘッドによるトラックと前記第２のヘッドによるトラックとを前記磁気記録媒体上に時間的に交互に形成する記録手段と、
(ロ')前記磁気記録媒体を予め定められた基準となる第１の走行速度と前記第１の走行速度に対して１/(２ｎ＋１)倍(ｎは自然数)となる第2の走行速度とに切り換えて走行駆動させる走行手段を備え、
(ハ')前記磁気記録媒体の走行速度を前記第１の走行速度とした第１の記録モード時には、前記第１の走行速度であることを示す情報信号を記録すると共に、前記第１のヘッドによる記録と前記第２のヘッドによる記録との間に前記記録信号の非供給期間を設けずに、前記記録信号の供給期間に前記各トラックを時間的に交互に形成して、前記記録信号として基準となるデータレートを有する入力デジタル信号を記録し、
(二’)前記磁気記録媒体の走行速度を前記第２の走行速度とした第２の記録モード時には、前記第２の走行速度であることを示す情報信号を記録すると共に、前記第１のヘッドによる記録と前記第２のへッドによる記録との間に前記記録信号の非供給期間を設けてトラックの非形成期間とし、前記記録信号の供給期間毎に第１、第２のヘッドによる前記各トラックの１トラック分を交互に形成して、前記記録信号として前記基準となるデータレートの１／(２ｎ＋１)倍のデータレートの入力デジタル信号を記録し、
(ホ’)前記第１または第２の記録モードで記録したデジタル信号の再生時には、前記磁気記録媒体から再生された前記各記録モードに対応した情報信号に基づいて前記磁気記録媒体から前記各記録モードに対応した記録信号を再生するようにしたことを特徴とした磁気記録再生装置。」
と訂正する。
　
２）訂正事項b
　特許査定時の明細書の発明の詳細な説明における段落番号0009に記載された
「　【課題を解決するための手段】
　よって、本発明は上記した課題を解決するため、以下(１)〜(4)の構成を提供するものである。
(1) 一定に回転させる回転ドラム上に搭載された第１のアジマス角度のヘッドと第２のアジマス角度のヘッドとにより入力デジタル信号を磁気記録媒体に記録し、再生する磁気記録再生装置において、
　前記磁気記録媒体を予め定められた基準となる第１の走行速度で走行駆動すると共に、前記磁気記録媒体を第２の走行速度に対して１／ｎ倍、あるいはｎ倍(ｎは自然数)となる第２の走行速度で走行駆動する走行手段を備え、
記録時には、前記磁気記録媒体を前記第１の走行速度で走行駆動させ、前記第２の走行速度に対応した情報信号と基準となるデータレートを有する入力デジタル信号とを記録し、また、前記磁気記録媒体を前記第２の走行速度で走行駆動させ、前記第２の走行速度に対応した情報信号と前記入力デジタル信号と異なるデータレートを有する入力デジタル信号とを記録し、再生時には、前記磁気記録媒体から再生された前記情報信号に基づいて前記磁気記録媒体に記録された信号を再生することを特徴とした磁気記録再生装置。
(２) 第１のアジマス角度のヘッドと第２のアジマス角度のヘッドとを磁気記録媒体に形成される記録トラックのピッチに相当する間隔だけずらして回転ドラムに配置した回転ヘッドにより入力デジタル信号を磁気記録媒体に記録し、再生する磁気記録再生装置において、
　前記磁気記録媒体を予め定められた第１の走行速度と、前記第１の走行速度に対して１／ｎ(ｎは自然数)となる第２の走行速度とに夫々切り換えて走行させる走行手段を備え、
　記録時には、前記磁気記録媒体を前記第１の走行速度で走行駆動させ、前記第１の走行速度に対応した情報信号と基準となるデータレートを有する入力デジタル信号とを記録し、また、前記磁気記録媒体を前記第２の走行速度で走行駆動させ、前記第２の走行速度に対応した情報信号と前記入力デジタル信号と異なるデータレートを有する入力デジタル信号とを記録し、再生時には、前記磁気記録媒体から再生された前記情報信号に基づいて前記磁気記録媒体に記録された信号を再生することを特徴とした磁気記録再生装置。
（３） 第１のアジマス角度のヘッドと第２のアジマス角度のヘッドとを磁気記録媒体に形成される記録トラックのピッチに相当する間隔だけずらして回転ドラムに配置した回転へッドにより入力デジタル信号を磁気記録媒体に記録し、再生する磁気記録再生装置において、
　前記磁気記録媒体を予め定められた第１の走行速度と、前記第１の走行速度に対して２倍となる第２の走行速度とに夫々切り換えて走行させる走行手段を備え、
記録時には、前記磁気記録媒体を前記第１の走行速度で走行駆動させ、前記第１の走行速度に対応した情報信号と基準となるデータレートを有する入力デジタル信号とを記録し、また、前記磁気記録媒体を前記第２の走行速度で走行駆動させ、前記第２の走行速度に対応した情報信号と前記入力デジタル信号と異なるデータレートを有する入力デジタル信号とを記録し、再生時には、前記磁気記録媒体から再生された前記情報信号に基づいて前記磁気記録媒体に記録された信号を再生することを特徴とした磁気記録再生装置。」
を、
「【課題を解決するための手段】
　よって、本発明は上記した課題を解決するため、以下の構成を提供するものである。
　一定に回転させる回転ドラム上に互いに略１８０度対向して搭載された第１のアジマス角度を有する第１のヘッドと第２のアジマス角度を有する第２のヘッドとを有し、入力デジタル信号を磁気記録媒体に記録し再生する磁気記録再生装置において、前記第１のヘッドと前記第２のヘッドとを前記記録媒体上で時間的に交互に走査させて、前記入力デジタル信号を含む記録信号を記録することにより、前記第１のへッドによるトラックと前記第２のヘッドによるトラックとを前記磁気記録媒体上に時間的に交互に形成する記録手段と、前記磁気記録媒体を予め定められた基準となる第１の走行速度と前記第１の走行速度に対して１/(２ｎ＋１)倍(ｎは自然数)となる第２の走行速度とに切り換えて走行駆動させる走行手段を備え、前記磁気記録媒体の走行速度を前記第１の走行速度とした第１の記録モード時には、前記第１の走行速度であることを示す情報信号を記録すると共に、前記第１のヘッドによる記録と前記第２のヘッドによる記録との間に前記記録信号の非供給期間を設けずに、前記記録信号の供給期間に前記各トラックを時間的に交互に形成して、前記記録信号として基準となるデータレートを有する入力デジタル信号を記録し、前記磁気記録媒体の走行速度を前記第２の走行速度とした第２の記録モード時には、前記第２の走行速度であることを示す情報信号を記録すると共に、前記第１のヘッドによる記録と前記第２のヘッドによる記録との間に前記記録信号の非供給期間を設けてトラックの非形成期間とし、前記記録信号の供給期間毎に第１、第２のヘッドによる前記各トラックの１トラック分を交互に形成して、前記記録信号として前記基準となるデータレートの１／(２ｎ十１)倍のデータレートの入力デジタル信号を記録し、前記第１または第２の記録モードで記録したデジタル信号の再生時には、前記磁気記録媒体から再生された前記各記録モードに対応した情報信号に基づいて前記磁気記録媒体から前記各記録モ−ドに対応した記録信号を再生するようにしたことを特徴とする磁気記録再生装置。」
と訂正する。
　
３）訂正事項c
　特許査定時の明細書の発明の詳細な説明における段落番号0010に記載された
「【実施例】
　図１は本磁気記録再生装置を説明するためのブロツク図、図２は本磁気記録再生装置の第１実施例における回転ヘッドの配置を説明するための図、図3，図5，図7は第１実施例における本磁気記録再生装置の動作を説明するためのタイミングチャート、図4，図6，図8は第１実施例における磁気テープのトラックパターンを説明するための図、図9は本磁気記録再生装置の第２実施例における回転ヘッドの配置を説明するための図、図１ 0，図１ ２は第２実施例における本磁気記録再生装置の動作を説明するためのタイミングチャート、図１１,図１3は第２実施例における磁気テープのトラックパターンを説明するための図、図１4は本磁気記録再生装置の第３実施例における回転ヘッドの配置を説明するための図、図１5，図１7は第3実施例における本磁気記録再生装置の動作を説明するためのタイミングチャート、図１6，図１8は第３実施例における磁気テープのトラックパターンを説明するための図である。
　以下、図面を参照しつつ本発明なる磁気記録再生装置を第１実施例〜第3実施例に沿って説明する。」
を、
「【実施例】
　図１は本磁気記録再生装置を説明するためのブロック図、図２は本磁気記録再発生装置の実施例における回転ヘッドの配置を説明するための図、図3，図5，図７は実施例における本磁気記録再生装置の動作を説明するためのタイミングチャート、図4，図6，図8は実施例における磁気テープのトラックパターンを説明するための図、図９は本磁気記録再生装置の第１比較例における回転ヘッドの配置を説明するための図，図１０,図１２は第１比較例における本磁気記録再生装置の動作を説明するためのタイミングチャート、図１１，図１３は第１比較例における磁気テープのトラックパターンを説明するための図、図１４は本磁気記録再生装置の第２比較例における回転ヘッドの配置を説明するための図、図１5，図１７は第２比較例における本磁気記録再生装置の動作を説明するためのタイミングチャート、図１６，図１８は第２比較例における磁気テープのトラックパターンを説明するための図である。」
と訂正する。
４）訂正事項d
　特許査定時の明細書の段落番号0018、図面の簡単な説明の欄に記載された「第１実施例」を「実施例」と合計9箇所訂正する。
５）訂正事項e
　特許査定時の明細書の段落番号0046、図面の簡単な説明の欄に記載された「第２実施例」を「第１比較例」と合計7箇所訂正する。
６）訂正事項f
　特許査定時の明細書の段落番号0064、図面の簡単な説明の欄に記載された「第3実施例」を「第２比較例」と合計7箇所訂正する。
７）訂正事項g
　特許査定時の明細書の発明の詳細な説明における段落番号0019に記載された「図２に示すように、回転ドラム１9には第１のアジマス角度のヘッド7a，7cと、第２のアジマス角度のヘッド7bとが搭載されており、この内、第１のアジマス角度のヘッド7a,7cは、回転ドラム１9上に１８０°対向する位置に配置されており、第１のアジマス角度のヘッド7cと第２のアジマス角度のヘッド7bとはコンビネーションヘッドを構成している。」
を、
「図２に示すように、回転ドラム１９には第１のアジマス角度のヘッド7a，7cと、第２のアジマス角度のヘッド7bとが搭載されており、この内、ヘッド7a，７ｂは、回転ドラム１９上に１８０°対向する位置に配置されており、第１のアジマス角度のヘッド7cと第２のアジマス角度のヘッド7bとはコンビネーションヘッドを構成している。」
と訂正する。
８）訂正事項h
　特許査定時の明細書の段落番号0020に記載された「但し、回転ヘッド7a，7cは、…」を「但し、回転ヘッド7a，7bは、…」と訂正する。
９）訂正事項ｉ
　特許査定時の明細書の発明の詳細な説明における段落番号0083に記載された
「こうして、本磁気記録再生装置において、上記した基本のデータレートＡ[Mbps]に対して異なるデータレートで供給される入力デジタル信号は、上述した第１〜第3実施例で夫々述べたように構成された回転ドラム１9〜２１を用いることにより、回転ドラムの回転数を一定に保ちつつ磁気テープTの走行速度を可変することによって効率良く磁気テープT上に記録することができる。」
を、
「　こうして、本磁気記録再生装置において、上記した基本のデータレートＡ[Mbps]に対して異なるデータレートで供給される入力デジタル信号は、上述した実施例、第１〜第２比較例で夫々述べたように構成された回転ドラム１9〜２１を用いることにより、回転ドラムの回転数を一定に保ちつつ磁気テープTの走行速度を可変することによって効率良く磁気テープＴ上に記録することができる。」
と訂正する。
１０）訂正事項j
　特許査定時の明細書の発明の詳細な説明における段落番号0089に記載された「更に、所定の入力デジタル信号と異なるデータレートを有する入力デジタル信号を記録するとき従来の奇数倍時間の信号記録、再生に加え、偶数倍時間の信号記録、再生を行うことができるという効果がある。」を、
「更に、所定の入力デジタル信号と異なるデータレートを有する入力デジタル信号を記録するとき、繁雑な制御を行うことなく奇数倍時間の信号記録、再生を行うことができるという効果がある。」
と訂正する。
１１）訂正事項k
　特許査定時の明細書の発明の詳細な説明における段落番号0091に記載された「上述したように、請求項２記載の本発明の構成によれば、上述した効果に加え、少なくともアジマス角度の異なる回転ヘッドから構成されるコンビネーションヘッドを回転ドラム上に配置したことにより、基本データレートに対してこれより１／ｎ(ｎは自然数)少ない様々なデータレートの入力デジタル信号が供給されたときでも、テープ走行速度を可変し、更に効率よく信号を磁気テープ上に記録することができるという効果がある。」
を、
「上述したように、第１比較例によれば、少なくともアジマス角度の異なる回転ヘッドから構成されるコンビネーションヘッドを回転ドラム上に配置したことにより、基本データレートに対してこれより１／ｎ(ｎは自然数)少ない様々なデータレートの入力デジタル信号が供給されたときでも、テープ走行速度を可変し、更に効率よく信号を磁気テープ上に記録することができる。」
と訂正し、段落番号0063の末尾に移動させる。
１２）訂正事項l
　特許査定時の明細書の発明の詳細な説明における段落番号0092に記載された「上述したように、請求項３記載の本発明の構成によれば、上述した効果に加え、少なくともアジマス角度の異なる回転ヘッドから構成されるコンビネーションヘッドを回転ドラム上に１８０°対向するように配置したことにより、基本データレートに対してこれより２倍のデータレートの入力デジタル信号が供給されたときでも、テープ走行速度を可変し、更に効率よく信号を磁気テープ上に記録することができるという効果がある。」
を、
「上述したように、第２比較例によれば、少なくともアジマス角度の異なる回転ヘッドから構成されるコンビネーションヘッドを回転ドラム上に１８０° 対向するように配置したことにより、基本データレートに対してこれより２倍のデータレートの入力デジタル信号が供給されたときでも、テープ走行速度を可変し、更に効率よく信号を磁気テープ上に記録することができる。」
と訂正し、段落番号0082の末尾に移動させる。
(２)訂正の目的の適否、新規事項の有無及び拡張・変更の存否
１）訂正事項a
　(イ')については、明細書の特許請求の範囲の請求項１に記載された「回転ドラム上に搭載された」をより明確で、且つ下位概念である「回転ドラム上に互いに略180度対向して搭載された」と限定すると共に、「第１のアジマス角度のヘッド」を「第１のアジマス角度を有する第１のヘッド」と訂正し、「第２のアジマス角度のヘッド」を「第２のアジマス角度を有する第２のヘッド」と訂正し、「記録し、再生する」を「記録し再生する」と訂正したものである。なお、「回転ドラム上に互いに略180度対向して搭載された」との限定は、発明の詳細な説明における段落番号0020の記載と図２の記載とに基づくものであり、
「第１のアジマス角度を有する第１のヘッド」、「第２のアジマス角度を有する第２のヘッド」、「記録し再生する」との訂正は、単なる文言上の変更であって、特許請求の範囲を実質的に拡張し又は変更するものではない。
　(イ”)については、明細書の特許請求の範囲の請求項１に記載された入力デジタル信号を記録するための構成を「前記第１のヘッドと前記第２のヘッドとを前記記録媒体上で時間的に交互に走査させて、前記入力デジタル信号を含む記録信号を記録することにより、前記第１のヘッドによるトラックと前記第２のヘッドによるトラックとを前記磁気記録媒体上に時間的に交互に形成する記録手段と、」と明確にしたものである。なお、第１のヘッドと第２のヘッドとを記録媒体上で時間的に交互に走査させることと、入力デジタル信号を含む記録信号を記録することと、第１のヘッドによるトラックと第２のへッドによるトラックとを記録媒体上に時間的に交互に形成することは、発明の詳細な説明における段落0026の記載と図4及び図8の記載に基づくものである。
　(ロ')については、明細書の特許請求の範囲の請求項１に記載された「…第１の走行速度で走行駆動すると共に、前記磁気記録媒体を第１の走行速度に対して１／ｎ倍、あるいはｎ倍(ｎは自然数)となる第２の走行速度で走行駆動する…」をより明確で、且つ下位概念である「…第１の走行速度と前記第１の走行速度に対して１／(２ｎ十１)倍(ｎは自然数)となる第２の走行速度とに切り換えて走行駆動させる…」と限定したものである。つまり、１／ｎ倍あるいはｎ倍との記載を奇数分の１倍である１／(２ｎ十１)倍と下位概念に限定したものである。この限定は、発明の詳細な説明における段落番号0018の記載に基づくものである。なお、請求項１における第２の走行速度は、段落番号0018に記載の第3の走行速度に対応するものであり、第２の走行速度に対応するものではない。
　(ハ')については、明細書の特許請求の範囲の請求項１に記載された「記録時には、前記磁気記録媒体を前記第１の走行速度で走行駆動させ、前記第１の走行速度に対応した情報信号と基準となるデータレートを有する入力デジタル信号とを記録し、」をより明確で、且つ下位概念である「前記磁気記録媒体の走行速度を前記第１の走行速度とした第１の記録モード時には、前記第１の走行速度であることを示す情報信号を記録すると共に、前記第１のヘッドによる記録と前記第２のへッドによる記録との間に前記記録信号の非供給期間を設けずに、前記記録信号の供給期間に前記各トラックを時間的に交互に形成して、前記記録信号として基準となるデータレートを有する入力デジタル信号を記録し、」と限定したものである。つまり、第１のヘッドによる記録と第２のヘッドによる記録との間に記録信号の非供給期間を設けないことと、記録信号の供給期間に各トラックを時間的に交互に形成してデジタル信号を記録することを限定したものである。なお、これらの限定は、発明の詳細な説明における段落番号0025及び0026の記載と、図3及び図4の記載とに基づくものである。
(二')については、明細書の特許請求の範囲の請求項１に記載された「また、前記磁気記録媒体を前記第２の走行速度で走行駆動させ、前記第２の走行速度に対応した情報信号と前記入力デジタル信号と異なるデータレートを有する入力デジタル信号とを記録し、」をより明確で、且つ下位概念である「前記磁気記録媒体の走行速度を前記第２の走行速度とした第２の記録モード時には、前記第２の走行速度であることを示す情報信号を記録すると共に、前記第１のヘッドによる記録と前記第２のヘッドによる記録との間に前記記録信号の非供給期間を設けてトラックの非形成期間とし、前記記録信号の供給期間毎に第１、第２のヘッドによる前記各トラックの１トラック分を交互に形成して、前記記録信号として前記基準となるデータレートの１／(２ｎ十１)倍のデータレートの入力デジタル信号を記録し、」と限定したものである。つまり、第１のヘッドによる記録と第２のヘッドによる記録との間に記録信号の非供給期間を設けてトラックの非形成期間とすることと、記録信号の供給期間毎に第１、第２のヘッドによる各トラックの１トラック分を交互に形成してデジタル信号を記録することを限定したものである。なお、これらの限定は、発明の詳細な説明における段落番号0041及び0042の記載と、図7及び図8の記載とに基づくものである。
　(ホ')については、明細書の特許請求の範囲の請求項１に記載された「再生時には、…」をより明確にするため「前記第１または第２の記録モードで記録したデジタル信号の再生時には、…」と訂正し、「前記記録媒体に記録された信号を再生することを…」をより明確にするため「前記磁気記録媒体から前記各記録モードに対応した記録信号を再生するようにしたことを…」と訂正したものである。なお、この訂正は、発明の詳細な説明における段落番号0044及び0045の記載に基づくものである。
　従って、この訂正事項aの訂正は、特許法第１２0条の4第２項但し書き第１号に規定する特許請求の範囲の減縮に相当するものである。
　２）上記訂正事項b
　訂正事項bについては、前記の請求項１の訂正に伴う明細書中の対応した箇所の訂正である。
　従って、この訂正事項bの訂正は、特許法第120条の4第２項但し書き第3号に規定する不明りような記載の釈明に相当するものである。　
３）上記訂正事項c
　訂正事項cについては、特許査定時の請求項２及び3の削除に伴う明細書中の対応した箇所の訂正である。
　従って、この訂正事項cの訂正は、特許法第120条の4第２項但し書き第3号に規定する不明りような記載の釈明に相当するものである。
４）上記訂正事項d
　訂正事項dについては、特許査定時の請求項２及び3の削除に伴う明細書中の対応した箇所の訂正である。
　従って、この訂正事項dの訂正は、特許法第120条の4第２項但し書き第3号に規定する不明りような記載の釈明に相当するものである。
５）上記訂正事項e
　訂正事項eについては、特許査定時の請求項２の削除に伴う明細書中の対応した箇所の訂正である。
　従って、この訂正事項eの訂正は、特許法第120条の4第２項但し書き第3号に規定する不明りような記載の釈明に相当するものである。
６）上記訂正事項f
　訂正事項fについては、特許査定時の請求項3の削除に伴う明細書中の対応した箇所の訂正である。
　従って、この訂正事項fの訂正は、特許法第120条の4第２項但し書き第3号に規定する不明りような記載の釈明に相当するものである。
７）上記訂正事項g
　訂正事項ｇについては、発明の詳細な説明における段落番号0019に記載された「この内、第１のアジマス角度のヘッド7a,7c」を「この内、ヘッド7a,7b」と訂正するものである。平成１１年２月１8日付けの手続補正書では、出願当初の明細書の段落番号0019に記載された「この内、第１のアジマス角度のヘッド7a,ｂ」との記載を「この内、第１のアジマス角度のヘッド7a,7c」と補正したが、回転ドラム１9上に180°対向して配置されるへッドは、出願当初の明細書の段落番号0019に記載の通りで正しいことが明らかとなった。そこで、出願当初の正しい記載に戻すものである。なお、ヘッド7bが第１のアジマス角度を有するものでなく、第２のアジマス角度を有するものであることは、段落番号0019、0023、0026、及びその他の記載から明らかである。
　従って、この訂正事項9の訂正は、特許法第120条の4第２項但し書き第２号に規定する誤記の訂正に相当するものである。　
８）上記訂正事項h
　訂正事項hについては、発明の詳細な説明における段落番号0020に記載された「但し、回転ヘッド7a,7cは、…」を「但し、回転ヘッド7a,7bは、…」と訂正するものである。　平成１１年２月１8日付けの手続補正書では、出願当初の明細書の段落番号0020に記載された「但し、回転ヘッド7a,7bは、…」との記載を「但し、回転ヘッド7a,7cは、…」と補正したが、機械的な取り付けの制約で実際には完全に180°対向に配置することが困難なヘッドは、出願当初の明細書の段落番号0020に記載の通りで正しいことが明らかとなった。そこで、出願当初の正しい記載に戻すものである。
　従って、この訂正事項hの訂正は、特許法第１２０条の4第２項但し書き第２号に規定する誤記の訂正に相当するものである。　
９）上記訂正事項ｉ，ｊ，ｋ，ｌ
　訂正事項ｉ，ｊ，ｋ，ｌについては、特許査定時の請求項１の減縮と請求項２及び3の削除に伴う明細書中の対応した箇所の訂正である。
  従って、これらの訂正は、特許法第１２0条の4第２項但し書き第３号に規定する不明りょうな記載の釈明に相当するものである。
　なお、上記訂正事項ｂ〜ｌは、いずれも願書に最初に添付した明細書又は図面に記載した事項の範囲内の訂正であり、また、特許請求の範囲を拡張し又は変更するものでもない。
　
（３）むすび
　以上のとおり、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項但し書き、第２項及び第３項の規定に適合するので、これらの訂正を認める。
　
３．特許異議申立てについて
（１）異議申立ての概要
　特許異議申立人は、特開昭６４−３３７０２号公報（甲第１号証、以下、「引用刊行物１」という。）及び特開昭６３−３０８７７０号公報（甲第２号証、以下、「引用刊行物２」という。）を提示して、本件特許第２９３９９６７号の請求項１乃至３に係る発明は、前記引用刊行物に記載の発明から容易に発明をすることができたものであるから、特許法第２９条２項の規定により容易に発明をすることができたものである旨主張している。また、当審における２回目の取消理由通知（２９条２項）において、他の文献（以下、「引用刊行物３」という。）も通知したので、これについても併せて検討する。
　
（２）本件特許発明
　本件特許発明は、上記「２．訂正の適否についての判断」で検討した「１）訂正事項ａ」の請求項１に記載のとおりである。
　
（３）引用刊行物に記載の発明
 ａ．引用刊行物１：特開昭６４−３３７０２号公報（昭和６４年２月３日発行）
　引用刊行物１には、以下の記載がある。
  ア．第3頁左下欄第19行目〜右下欄第10行目には、回転シリンダ14上に搭載された8個の磁気ヘッド16〜23により信号を記録再生することが記載されている。また、第5頁左上欄第14行目〜右上欄第6行目には、高精度再現モード、第1の長時間記録モード及び第2の長時間記録モードのいずれのモードにおいても、回転シリンダ14の回転速度を等しくすることが記載されている。
　イ．第6図には、複数のヘッド16、18、20、22が磁気テープ15に形成される記録トラックのピッチに相当する間隔だけずらして回転ドラム14に配置され、これらのヘッドと対をなすヘッド１７，１９，２１，２３を１８０°の角間隔で同様に配置することが記載されている。
　ウ．第5頁右上欄第7行目〜左下欄第9行目、第6頁左上欄第15行目〜右上欄第20行目には、キャプスタンモータ制御回路42によりモード毎にキャプスタンモー夕41の回転速度を異ならせて、(1)高精度再現モードのときには、磁気テープ15を走行速度vで走行させ、(2)第1の長時間記録モードのときには、磁気テープ15を走行速度v/2で走行させ、(3)第2の長時間記録モードのときには、磁気テープ15を走行速度v/4で走行させることが記載されている。
　エ．第4頁右上欄第2行目〜第18行目、第4頁左下欄第6行目〜第5頁左上欄第3行目、第5頁右上欄第7行目〜左下欄第11行目、第6頁左上欄第15行目〜左下欄第6行目、及び第7図には、ディジタル信号の記録動作として、(1)高精度再現モードでは、磁気テープ15を走行速度vで走行させ、A/D変換器2から出力されるディジタル信号を４チャンネルに分割してモード制御信号とともに４ヘッド同時に磁気テープ15に記録し、(2)第1の長時間記録モードでは、磁気テープ15を走行速度v/2で走行させ、A/D変換器2から出力されるディジタル信号をデータ圧縮回路3により圧縮率1/2でデータ圧縮した後、２チャンネルに分割してモード制御信号とともに磁気テープ15に２ヘッド同時に記録し、（３）第2の長時間記録モードでは、磁気テープ15を走行速度v/4で走行させ、A/D変換器2から出力されたディジタル信号をデータ圧縮回路3により圧縮率1/4でデータ圧縮したディジタル信号とモード制御信号とを磁気テープ15に１ヘッドで記録することが記載されている。
　オ．第6頁左下欄第8行目〜第7頁左下欄第7行目には、磁気テープ15からの再生動作として、磁気ヘッド45及びモード制御信号再生回路46により記録時のモードを示すモード識別信号を再生し、このモード識別信号により、チャンネル合成回路36、データ伸張回路37、スイッチ38及びキャプスタンモー夕41を制御して、磁気テープ15の走行速度が記録時と同じになるように制御すると共に、モード識別信号が(1)高精度再現モードのときには、磁気テープ15から再生した信号をD/A変換回路39に供給し、(2)第1の長時間記録モードのときには、データ伸張回路37により磁気テープ15から再生した信号を2倍にデータ伸張してD/A変換回路39に供給し、(3)第2の長時間記録モードのときには、データ伸張回路37により磁気テープ15から再生した信号を4倍にデータ伸張してD/A変換回路39に供給することが記載されている。
　カ．第７頁右下欄第２行目〜第２０行目には、モード制御信号を回転磁気ヘッドにより記録することが記載されている。
　
  上記ア乃至カの点から見て、引用刊行物１には、基準となる入力ディジタル信号及び入力ディジタル信号とは異なるデータレートの信号を回転ヘッドにより記録再生する磁気記録再生装置について記載されたものであり、
「回転シリンダに４個ずつ近接配置した磁気ヘッドを180°の角間隔で対となるように搭載してディジタル信号を記録する際、入力されたディジタル信号のデータ圧縮率1/2nに合わせて、磁気テープを基準となる走行速度の1/2nの走行速度で走行させ、記録時のモードに応じたデータ圧縮率に反比例して同時に記録するヘッド数を選定し、記録時のモードを識別信号をモード制御信号として圧縮ディジタル信号と共に１８０°の角間隔の前記選択した磁気ヘッドで交互に記録し、ディジタル信号を再生する際には、前記モード制御信号を再生して得られる各記録時のモードに対応した記録時のモード識別信号によりテープ走行速度、データの伸張度を設定して磁気テープから各記録モードに対応した記録信号を再生するようにした磁気記録再生装置。」の発明が記載されているものと認められる。
　
ｂ．引用刊行物２：特開昭６３−３０８７７０号公報（昭和６３年１２月１６日公開）
　引用刊行物２には、以下の記載がある。
　ア．第３頁右上欄第４行目から左下欄第２行目、及び第２図には、第１のアジマス角を持つヘッドＨａ＋、Ｈｂ＋及びこれらとは異なるアジマス角を有するヘッドＨａ−、Ｈｂ−が設けられている回転シリンダ５０が記載されている。更に、第５頁左上欄第４行目〜第９行目、及び第５図には、互いに異なるアジマス角を持つヘッドＨａ＋、Ｈａ−が設けられているシリンダ５４が記載されている。また、第３頁左下欄第１５行目〜右下欄第４行目及び第１図には、これらのヘッドによりディジタル信号を記録再生することが開示されている。
　イ．第３頁右下欄第７行目〜第８行目、及び第２図には、第２図におけるθを小さくすると、ヘッドＨａ＋と、ヘッドＨｂ−との段差Ｔｐ’とトラックピッチＴｐとが等しくなることが記載されている。
　ウ．第３頁左下欄第３行目〜右下欄第１９行目には、キャプスタン８により、（１）標準モードに於いては、テープ速度Ｔを一定速度で走行させ、（２）２倍モードに於いては、テープを標準モードの１／２の走行速度で走行させ、（３）４倍モードに於いては、テープＴを標準モード時の１／４の走行速度で走行させることが記載されている。
　エ．第３頁左下欄第３行目〜右下欄第１９行目及び第４頁右下欄第４行目〜第７行目には、ディジタル信号をテープＴに記録する動作として、（１）標準モードに於いては、テープＴを一定速度で走行させ、Ａ／Ｄ変換器２から出力されたデータと記録モードと示す情報とをテープＴに記録し、（２）２倍モードに於いては、テープＴを標準モード時の１／２の走行速度で走行させ、Ａ／Ｄ変換器２から出力されたデータがブロック符号化回路３によりデータ量を１／２に圧縮されたデータと記録モードを示す情報とをテープＴに記録し、（３）４倍モードに於いては、テープＴを標準モード時の１／４の走行速度で走行させ、Ａ／Ｄ変換器２から出力されたデータを１／４のデータ量に圧縮されたデータと記録モードを示す情報とをテープＴに記録することが記載されている。
　オ．第４頁右上欄第１８行目〜右下欄第７行目には、記録された信号を再生する際、合成回路３９，ブロック複合回路４３及びフィールド補間回路４４によりそれぞれ処理の施された再生信号を、再生した記録モードを示す情報に応じてスィッチ４０により選択し出力することが記載されている。
　
　カ．第５頁左上欄第４行目〜１９行目には、「第５図は他のヘッド構成例を示す図であって、ヘッドＨ+はプラスアジマスのヘッド、ヘッドＨ−はマイナスアジマスのヘッドであり、これらは互いに近接して設けられ、所望のトラックピッチに応じた所定の段差を回転軸方向に有している。このヘッド構成では、シリンダ５４はビデオ信号の１フィールドの期間に１回転、即ち第２図のヘッドの２倍の速度で回転し、テープＴはシリンダ５４に対しテープガイド５５ａ、５５ｂにより例えば、３００°程度の角範囲に亘って巻装される。ヘッドＨ+、Ｈ−は、標準モード時には、各トレースで信号の記録を行い、データを１／ｎに圧縮するｎ倍モードではｎトレースに一度即ちｎ回転に一度、信号の記録を行う。」と記載されている。
　
　キ．第５頁右上欄第６行目〜左下欄２行目には「第６図は更に他のヘッド構成例を示す図である。図中ヘッドＨ１，Ｈ３，Ｈ５はプラスアジマスのヘッド，Ｈ２，Ｈ４，Ｈ６はマイナスアジマスのヘッドであり、ヘッドＨ１，Ｈ２，Ｈ３は、回転軸方向にシフトし、ヘッドＨ４，Ｈ５，Ｈ６も同様である。このヘッド構成では３トラック同時に記録を行うので、１トラックに記録できる量が第２図の場合と同じであれば、シリンダ５６の回転速度は２／３にできる。テープＴはテープガイド５７ａ，５７ｂにより１８０°以上の角範囲に巻装され、標準モードでは全ヘッドが各トレース毎に記録を行い、（２ｍ−１）倍モード時は全ヘッドがｍ回のトレースに１度の記録を行う。ｍは自然数であり、この場合、アジマス重ね書きをするとすれば、データ量を奇数分の１とするモードのみとり得る。」と記載されている。
　　
　上記（ア）乃至（オ）の記載及び第１乃至４図によれば、
「一定に回転させる回転ドラム上に近接且つ所定の段差で配置されたプラスアジマスのヘッドＨA+、マイナスアジマスのヘッドＨA−とこれらと１８０度対向してマイナスアジマスヘッドHb−とプラスアジマスヘッドＨｂ＋を有し、入力デジタルデータを磁気テープに記録し再生するデイジタル信号記録装置において、前記磁気テープを予め定められた基準となる標準モードと前記標準モードの走行速度に対して１／２ｎ倍の走行速度となる２ｎ倍モードとを切り換えて走行駆動する走行手段を備え、前記磁気テープの走行速度を前記標準モードの走行速度とした標準の記録モード時には、前記近接配置したプラスアジマスヘッドと前記マイナスアジマスヘッドとを同時に使用して記録するに際し、前記２つずつのヘッドによる記録の間にこれらのヘッドへの記録信号の非供給期間を設けることなく、前記両ヘッドで前記磁気テープ上に同時にトラックを形成しながら基準となるデータ圧縮率を有する入力デジタルデータと、前記標準の記録モードを示す情報信号とを記録し、
　前記磁気テープの走行速度を前記標準モードの走行速度の１／２ｎとした２ｎ倍モード時には、前記一方側の近接配置した２つのヘッドで同時に記録し、次の記録の間に記録信号の非供給期間を設けて、前記基準となる圧縮率の１／２ｎ倍のデータ圧縮率の入力デジタル信号と、前記２ｎ倍モードであることを示す情報信号とを記録し、
　前記標準及び２ｎ倍モードで記録したデジタル信号の再生時には、前記磁気テープから再生された前記情報信号に基づいて前記磁気テープに記録された信号を再生することを特徴とした磁気記録再生装置。」の発明（以下、「引用刊行物２に記載の発明Ａ」という。）が認められる。
　
　また、上記（カ）および第５図によれば引用刊行物２には、「一定に回転させる回転ドラム上に近接且つ所定の段差で配置されたプラスアジマスのヘッドＨA+、マイナスアジマスのヘッドＨA−を有し、入力デジタルデータを磁気テープに記録し再生するデイジタル信号記録装置において、前記磁気テープを予め定められた基準となる標準モードと前記標準モードの走行速度に対して１／ｎとなるｎ倍モードとを切り換えて走行駆動する走行手段を備え、前記磁気テープの走行速度を前記標準モードとした標準の記録モード時には、前記二つずつのプラスアジマスヘッドと前記マイナスアジマスヘッドとを同時に使用して記録するに際し、前記２つのヘッドによる記録の間にこれらのヘッドへの記録信号の非供給期間を設けることなく、前記両ヘッドで前記磁気テープ上に同時にトラックを形成しながら基準となるデータ圧縮率を有する入力デジタルデータを記録し、
　前記磁気テープの走行速度を前記標準モードの走行速度の１／ｎとしたｎ倍モード時には、前記２つのヘッドで同時にｎ回転に１回記録してその間記録信号の非供給期間を設けて、前記基準となるデータ圧縮率の１／ｎのデータ圧縮率の入力デジタル信号を記録することを特徴とした磁気記録装置。」の発明（以下、「引用刊行物２に記載の発明Ｂ」という。）が認められる。
   　
　さらに、上記（キ）及び第６図によれば、引用刊行物２には、「一定に回転させる回転ドラム上に搭載されプラスアジマスのヘッドＨ+とマイナスアジマスのヘッドＨ−とを有し、入力デジタルデータを磁気テープに記録し再生するデイジタル信号記録装置において、隣のヘッドとアジマスの異なる３個の磁気ヘッドを近接且つ所定の段差を設けて配置し、これらの磁気ヘッドと１８０°対向し、且つアジマスが反対の関係になるように３個の磁気ヘッドを配置し、標準のモードでは全ヘッドがトレース毎に記録を行い、（２ｍ−１）倍モードでは全ヘッドがｍ回のトレースに１度アジマス重ね書きにより記録を行なう磁気記録装置。」の発明（以下、「引用刊行物２に記載の発明Ｃ」という。）が認められる。
　
　なお、上記引用刊行物２に記載の発明Ｂ，Ｃも発明Ａとともに同じ公開公報に記載された発明の実施例であるから、記録時のデータ圧縮、記録モードを判別する信号の記録、再生のための構成等は、前記引用刊行物２に記載の発明Ａで認定した構成と同様のものを当然に備えているものと認められる。
　
ｃ．引用刊行物３：特開平６−１９５６１４号公報（平成６年７月１５日公開）
  引用刊行物３には、以下の記載がある。  
ア．「回転磁気ヘッドＨAと回転磁気ヘッドＨBは１８０度の角度で対向して配置され、そのアジマス角度は互いに異なるように設定される。また、回転磁気ヘッドＨａは回転磁気ヘッドＨBと同一アジマス角とされているが、回転磁気ヘッドＨAと同一位置に配置され、いわゆるダブルアジマスヘッドを構成している。」（段落００２６）
イ．「標準モードに設定されると、入力された映像信号は第１のデジタル映像データ処理部３Ａに供給されるようにモード切換スイッチ２０が制御され、（中略）ヘッドの切換スイッチング回路３０はこの圧縮符号化データを回転磁気ヘッドＨA、ＨBに分配して供給するように設定される。」（段落００２７）
ウ．「長時間モードに設定されると・・・標準モードで圧縮されたデータのさらに１／２に対応するデータの圧縮が行われ、」（段落００２８）
エ．「長時間モードで圧縮符号化されたデータは・・・ヘッド切換回路スイッチ回路３０で回転磁気ヘッドＨA、Ｈａに分配して供給される。回転磁気ヘッドＨA、Ｈａは前述したように、ほぼ同一位置に配置し、所定の段差をつけているダブルアジマスヘッドとされているので、テープ送り速度を１／２にすると回転ドラムＤの１回転で磁気ヘッドＨAが１本の記録トラックＡを形成し、次の１回転で磁気ヘッドＨａによって次のトラックａが形成されるようにすることができる。」（段落００２９）
オ．「記録トラックの一部に識別符号を挿入し、再生時に標準モードと長時間モードの自動切換を行うことが好ましい。」（段落００３０）
　
　上記記載事項及び図面を考慮すると、引用刊行物３には、「一定に回転させる回転ドラム上に搭載された第１のアジマス角度を有する第１の回転磁気ヘッドＨAと第２のアジマス角度を有する第２の回転磁気ヘッドＨａとをダブルアジマスヘッドとして構成し、このダブルアジマスヘッドと１８０度の角度で対向して配置される前記第２のアジマス角度を有する第３の回転磁気ヘッドＨBとを有し、入力デジタル信号を磁気テープに記録し再生する磁気記録再生装置において、前記磁気テープを予め定められた標準モードの走行速度と、前記標準モードの速度に対して１／２倍となる長時間モードの走行速度とを切り換えて走行駆動する走行手段を備え、
 前記磁気テープの走行速度を前記標準モードの走行速度とした標準モードの記録時には、前記第１の回転磁気ヘッドＨAと前記第３の回転磁気ヘッドＨBとを交互に使用して記録するに際し、前記両回転磁気ヘッドによる記録の間にこれらのヘッドへの記録信号の非供給期間を設けることなく、前記両回転磁気ヘッドで前記磁気テープ上に順次にトラックを形成しながら基準となるデータレートを有する入力デジタル信号と、前記第１の走行速度であることを示す情報信号とを記録し、
　前記磁気テープの走行速度を前記長時間モードの走行速度とした長時間モードの記録時には、前記第１の回転磁気ヘッドＨAと前記第２の回転磁気ヘッドＨａとを交互に使用して記録するに際し、前記第１の回転磁気ヘッド及び前記第２の回転磁気ヘッドによる記録の間にこれらのヘッドへの記録信号の非供給期間を１８０°設けて、前記第１の回転磁気ヘッドＨAと前記第２の回転磁気ヘッドＨａとで前記磁気テープ上に順次にトラックを形成しながら前記基準となるデータレートの１／２倍のデータレートの入力デジタル信号と、前記長時間モードの走行速度であることを示す情報信号とを記録し、前記標準及び長時間モードで記録したデジタル信号の再生時には、前記磁気テープから再生された前記情報信号に基づいて前記磁気テープに記録された信号を再生することを特徴としたデジタル情報記録再生装置。」の発明が記載されているものと認められる。
　
　
（４）対比・判断
ａ．引用刊行物１に記載の発明について
　本件発明と引用刊行物１に記載の発明を対比すると、
　本件発明がアジマス角の異なる一対のヘッドのみを１８０°対向させているのに対し、引用刊行物１に記載の発明は複数対である点およびアジマス角について言及していない点（相違点１−１）、本件発明が第２走行速度として１／（２ｎ＋１）倍（ｎは自然数）であるのに対し、引用刊行物２の発明では１／２ｎである点（相違点１−２）、本件発明が「第２の走行速度とした記録モード時には、前記第１のヘッドによる記録と前記第２のへッドによる記録との間に記録信号の非供給期間を設けてトラックの非形成期間とし、前記記録信号の供給期間毎に第１、第２のヘッドによる前記各トラックの１トラック分を交互に形成して、前記記録信号として前記基準となるデータレートの１／(２ｎ＋１)倍のデータレートの入力デジタル信号を記録し」の構成を備えているのに対し、引用刊行物１に記載の発明では１対の磁気ヘッドで記録を行うモードにおいても、記録信号の非供給期間を設けていない点（相違点１−３）で相違する。
　そして、本件発明のこれらの相違点に係る構成は引用刊行物１の記載からみて自明な事項とも認められず、かつ引用刊行物１に記載の発明に引用刊行物２，３に記載の発明を組み合わせても上記相違点に係る構成を備えた本件発明を容易に得られるとも認められない。
　
ｂ．引用刊行物２に記載の発明について
　 本件発明と引用刊行物２に記載の発明Ａ、Ｂ、Ｃを対比すると、
  走行速度を切り換えて記録する際、本件発明は１つの磁気ヘッドを用いているのに対し、引用刊行物２に記載の発明Ａ，Ｂ，Ｃは、いずれも２個又は３個の磁気ヘッドを同時に用いている点（相違点２−１）、
　 本件発明が第２の走行速度とした第２の記録モード時に「第１のヘッドによる記録と前記第２のへッドによる記録との間に前記記録信号の非供給期間を設けてトラックの非形成期間とし、前記記録信号の供給期間毎に第１、第２のヘッドによる前記各トラックの１トラック分を交互に形成して、前記記録信号として前記基準となるデータレートの１／(２ｎ＋１)倍のデータレートの入力デジタル信号を記録し」の構成を備えているのに対し、発明Ａ，Ｂ，Ｃはいずれも該構成を備えていない点（相違点２−２）、
　さらに、本件発明が「互いに略１８０°対向して搭載された第１のアジマス角度を有する第１のヘッドと第２のアジマス角度を有する第２のヘッドとを有している」のに対し、発明Ｂでは、１８０°対向していない点（相違点２−３）で相違する。
　
　上記相違点は、引用刊行物２の記載から見て自明な事項とも認められず、さらに引用刊行物１，３に記載の発明を組み合わせても上記構成を備えた本件発明を容易に得られるとは認められない。
　なお、引用刊行物２に記載の発明Ｃは、奇数倍（２ｍ−１）モードを備える点、及び該モード時においても回転ヘッドの１８０度対向した位置のヘッドで交互に記録する点で、本件発明と共通する部分もあるが、例えば３倍モードを構成するためのｍ＝２の場合、「全ヘッド（６個）が２回（ｍ＝２）のトレースに１度信号の記録を行い、且つアジマス重ね書きを行う」との構成から、直ちに、本件発明の上記構成を想起しうるとは認められない。
ｃ．引用刊行物３に記載の発明について
  本件発明と引用刊行物３に記載の発明を対比すると、
　本件発明が「一定に回転させる回転ドラム上に互いに略180度対向して搭載された第１のアジマス角度を有する第１のヘッドと第２のアジマス角度を有する第２のヘッド」のみで構成されているのに対し、引用刊行物３に記載の発明は１８０度の角度で対抗して配置された第１、第３の回転磁気ヘッドＨA，ＨBの他に第１のヘッドに近接して配置された「第２の回転磁気ヘッドＨa」を備えている点（相違点３−１）、本件発明が第２走行速度を「第１走行速度の１／（２ｎ＋１）」にしているのに対し引用刊行物３に記載の発明では１／２にしている点（相違点３−１）、本件発明が「第２の走行速度とした第２の記録モード時には、前記第１の回転磁気ヘッドによる記録と前記第２のへッドによる記録との間に前記記録信号の非供給期間を設けてトラックの非形成期間とし、前記記録信号の供給期間毎に第１、第２のヘッドによる前記各トラックの１トラック分を交互に形成して、前記記録信号として前記基準となるデータレートの１／(２ｎ＋１)倍のデータレートの入力デジタル信号を記録し」の構成を備えているのに対し、引用刊行物３に記載の発明はダブルアジマスヘッドを構成しているためにほぼ同じ位置にある第１の回転磁気ヘッドＨAと第２の回転磁気ヘッドＨaで交互に記録している点（相違点３−３）で相違する。
  そして、これらの相違点に係る本件発明の構成は、引用刊行物３の記載から見て自明な構成とは認められない。また、引用刊行物３に記載の発明に引用刊行物１，２に記載の発明を組み合わせても上記構成を備えた本件発明を容易に得られるとも認められない。
　そして、本件発明は、上記構成により、引用刊行物１乃至３の発明によっては得られない一対の磁気ヘッドにより基本走行速度における記録再生と、奇数倍速度における記録再生を実現できるとの効果が生じるものと認められる。
（５）むすび
   以上のとおりであるから、特許異議の申立ての理由によっては本件発明についての特許を取り消すことはできない。
　また、他に本件発明についての特許を取り消すべき理由を発見しない。
　従って、本件発明についての特許は、拒絶の査定をしなければならない特許出願に対してされたものと認めない。
よって、結論のとおり決定する。
【異議決定日】
平成１３年２月１４日（２００１．２．１４）
【訂正の要旨】
訂正の要旨
　まず、訂正の概要について説明する。
　特許査定時の請求項１乃至３における請求項２及び３を削除し、発明の要旨をより明確にするため、請求項１を基にして新たな請求項１と訂正した。特許査定時の請求項１に係る発明は、１／ｎ倍と記される如く、奇数分の１倍と偶数分の１倍とを含むものであったが、１／ｎ倍を奇数分の１倍と減縮したものを新たな請求項１とした。これに対応させて、発明の詳細な説明及び図面の簡単な説明を訂正した。
　▲１▼訂正事項ａ
　特許請求項範囲の請求項１に係る記載
「　　【請求項１】
（イ）一定に回転させる回転ドラム上に搭載された第１のアジマス角度のヘッドと第２のアジマス角度のヘッドとにより入力デジタル信号を磁気記録媒体に記録し、再生する磁気記録再生装置において、
（ロ）前記磁気記録媒体を予め定められた基準となる第１の走行速度で走行駆動すると共に、前記磁気記録媒体を第１の走行速度に対して１／ｎ倍、あるいはｎ倍（ｎは自然数）となる第２の走行速度で走行駆動する走行手段を備え、
（ハ）記録時には、前記磁気記録媒体を前記第１の走行速度で走行駆動させ、前記第１の走行速度に対応した情報信号と基準となるデータレートを有する入力デジタル信号とを記録し、
（ニ）また、前記磁気記録媒体を前記第２の走行速度で走行駆動させ、前記第２の走行速度に対応した情報信号と前記入力デジタル信号と異なるデータレートを有する入力デジタル信号とを記録し、
（ホ）再生時には、前記磁気記録媒体から再生された前記情報信号に基づいて前記磁気記録媒体に記録された信号を再生することを特徴とした磁気記録再生装置。」
を、
「　　【請求項１】
（イ’）一定に回転させる回転ドラム上に
互いに略１８０度対向して
を有する第１
有する第２
を有し、
し再
（イ”）
前記第１のヘッドと前記第２のヘッドとを前記記録媒体上で時間的に交互に走査させて、前記入力デジタル信号を含む記録信号を記録することにより、前記第１のヘッドによるトラックと前記第２のヘッドによるトラックとを前記磁気記録媒体上に時間的に交互に形成する記録手段と、
（ロ’）前記磁気記録媒体を予め定められた基準となる第１の走行速度
と前記第１の走行速度に対して１／（２ｎ＋１）倍（ｎは自然数）となる第２の走行速度とに切り換えて走行駆動させる
（ハ’）
前記磁気記録媒体の走行速度を前記第１の走行速度とした第１の記録モード時には、前記第１の走行速度であることを示す情報信号を記録すると共に、前記第１のヘッドによる記録と前記第２のヘッドによる記録との間に前記記録信号の非供給期間を設けずに、前記記録信号の供給期間に前記各トラックを時間的に交互に形成して、前記記録信号として基準となるデータレートを有する入力デジタル信号
（ニ’）
前記磁気記録媒体の走行速度を前記第２の走行速度とした第２の記録モード時には、前記第２の走行速度であることを示す情報信号を記録すると共に、前記第１のヘッドによる記録と前記第２のヘッドによる記録との間に前記記録信号の非供給期間を設けてトラックの非形成期間とし、前記記録信号の供給期間毎に第１、第２のヘッドによる前記各トラックの１トラック分を交互に形成して、前記記録信号として前記基準となるデータレートの１／（２ｎ＋１）倍のデータレートの入力デジタル信号
（ホ’）
前記第１または第２の記録モードで記録したデジタル信号の
各記録モードに対応した
から前記各記録モードに対応した記録信号を再生するようにした
と訂正する。
　▲２▼訂正事項ｂ
　特許査定時の明細書の発明の詳細な説明における段落番号０００９に記載された
「　　【課題を解決するための手段】
　よって、本発明は上記した課題を解決するため、以下（１）〜（４）の構成を提供するものである。
（１）　一定に回転させる回転ドラム上に搭載された第１のアジマス角度のヘッドと第２のアジマス角度のヘッドとにより入力デジタル信号を磁気記録媒体に記録し、再生する磁気記録再生装置において、
　前記磁気記録媒体を予め定められた基準となる第１の走行速度で走行駆動すると共に、前記磁気記録媒体を第１の走行速度に対して１／ｎ倍、あるいはｎ倍（ｎは自然数）となる第２の走行速度で走行駆動する走行手段を備え、
　記録時には、前記磁気記録媒体を前記第１の走行速度で走行駆動させ、前記第１の走行速度に対応した情報信号と基準となるデータレートを有する入力デジタル信号とを記録し、また、前記磁気記録媒体を前記第２の走行速度で走行駆動させ、前記第２の走行速度に対応した情報信号と前記入力デジタル信号と異なるデータレートを有する入力デジタル信号とを記録し、再生時には、前記磁気記録媒体から再生された前記情報信号に基づいて前記磁気記録媒体に記録された信号を再生することを特徴とした磁気記録再生装置。
（２）　第１のアジマス角度のヘッドと第２のアジマス角度のヘッドとを磁気記録媒体に形成される記録トラックのピッチに相当する間隔だけずらして回転ドラムに配置した回転ヘッドにより入力デジタル信号を磁気記録媒体に記録し、再生する磁気記録再生装置において、
　前記磁気記録媒体を予め定められた第１の走行速度と、前記第１の走行速度に対して１／ｎ（ｎは自然数）となる第２の走行速度とに夫々切り換えて走行させる走行手段を備え、
　記録時には、前記磁気記録媒体を前記第１の走行速度で走行駆動させ、前記第１の走行速度に対応した情報信号と基準となるデータレートを有する入力デジタル信号とを記録し、また、前記磁気記録媒体を前記第２の走行速度で走行駆動させ、前記第２の走行速度に対応した情報信号と前記入力デジタル信号と異なるデータレートを有する入力デジタル信号とを記録し、再生時には、前記磁気記録媒体から再生された前記情報信号に基づいて前記磁気記録媒体に記録された信号を再生することを特徴とした磁気記録再生装置。
（３）　第１のアジマス角度のヘッドと第２のアジマス角度のヘッドとを磁気記録媒体に形成される記録トラックのピッチに相当する間隔だけずらして回転ドラムに配置した回転ヘッドにより入力デジタル信号を磁気記録媒体に記録し、再生する磁気記録再生装置において、
　前記磁気記録媒体を予め定められた第１の走行速度と、前記第１の走行速度に対して２倍となる第２の走行速度とに夫々切り換えて走行させる走行手段を備え、
　記録時には、前記磁気記録媒体を前記第１の走行速度で走行駆動させ、前記第１の走行速度に対応した情報信号と基準となるデータレートを有する入力デジタル信号とを記録し、また、前記磁気記録媒体を前記第２の走行速度で走行駆動させ、前記第２の走行速度に対応した情報信号と前記入力デジタル信号と異なるデータレートを有する入力デジタル信号とを記録し、再生時には、前記磁気記録媒体から再生された前記情報信号に基づいて前記磁気記録媒体に記録された信号を再生することを特徴とした磁気記録再生装置。」
を、
「　　【課題を解決するための手段】
　よって、本発明は上記した課題を解決するため、以
下の
　一
互いに略１８０度対向して
を有する第１
を有する第２
を有し、
し再
前記第１のヘッドと前記第２のヘッドとを前記記録媒体上で時間的に交互に走査させて、前記入力デジタル信号を含む記録信号を記録することにより、前記第１のヘッドによるトラックと前記第２のヘッドによるトラックとを前記磁気記録媒体上に時間的に交互に形成する記録手段と、
と前記第１の走行速度に対して１／（２ｎ＋１）倍（ｎは自然数）となる第２の走行速度とに切り換えて走行駆動させる
前記磁気記録媒体の走行速度を前記第１の走行速度とした第１の記録モード時には、前記第１の走行速度であることを示す情報信号を記録すると共に、前記第１のヘッドによる記録と前記第２のヘッドによる記録との間に前記記録信号の非供給期間を設けずに、前記記録信号の供給期間に前記各トラックを時間的に交互に形成して、前記記録信号として基準となるデータレートを有する入力デジタル信号
前記磁気記録媒体の走行速度を前記第２の走行速度とした第２の記録モード時には、前記第２の走行速度であることを示す情報信号を記録すると共に、前記第１のヘッドによる記録と前記第２のヘッドによる記録との間に前記記録信号の非供給期間を設けてトラックの非形成期間とし、前記記録信号の供給期間毎に第１、第２のヘッドによる前記各トラックの１トラック分を交互に形成して、前記記録信号として前記基準となるデータレートの１／（２ｎ＋１）倍のデータレートの入力デジタル信号
前記第１または第２の記録モードで記録したデジタル信号の
各記録モードに対応した
から前記各記録モードに対応した記録信号を再生するようにした
と訂正する。
　▲３▼訂正事項ｃ
　特許査定時の明細書の発明の詳細な説明における段落番号００１０に記載された
「　　【実施例】
　図１は本磁気記録再生装置を説明するためのブロック図、図２は本磁気記録再生装置の第１実施例における回転ヘッドの配置を説明するための図、図３，図５，図７は第１実施例における本磁気記録再生装置の動作を説明するためのタイミングチャート、図４，図６，図８は第１実施例における磁気テープのトラックパターンを説明するための図、図９は本磁気記録再生装置の第２実施例における回転ヘッドの配置を説明するための図、図１０，図１２は第２実施例における本磁気記録再生装置の動作を説明するためのタイミングチャート、図１１，図１３は第２実施例における磁気テープのトラックパターンを説明するための図、図１４は本磁気記録再生装置の第３実施例における回転ヘッドの配置を説明するための図、図１５，図１７は第３実施例における本磁気記録再生装置の動作を説明するためのタイミングチャート、図１６，図１８は第３実施例における磁気テープのトラックパターンを説明するための図である。
　以下、図面を参照しつつ本発明なる磁気記録再生装置を第１実施例〜第３実施例に沿って説明する。」
を、
「　　【実施例】
　図１は本磁気記録再生装置を説明するためのブロック図、図２は本磁気記録再生装置
の実
は実
は実
１比較
１比較
１比較
２比較
２比較
２比較
。
と訂正する。
　▲４▼訂正事項ｄ
　特許査定時の明細書の段落番号００１８、図面の簡単な説明の欄に記載された「第１実施例」を「実施例」と合計９箇所訂正する。
　▲５▼訂正事項ｅ
　特許査定時の明細書の段落番号００４６、図面の簡単な説明の欄に記載された「第２実施例」を「第１比較例」と合計７箇所訂正する。
　▲６▼訂正事項ｆ
　特許査定時の明細書の段落番号００６４、図面の簡単な説明の欄に記載された「第３実施例」を「第２比較例」と合計７箇所訂正する。
　▲７▼訂正事項ｇ
　特許査定時の明細書の発明の詳細な説明における段落番号００１９に記載された
「図２に示すように、回転ドラム１９には第１のアジマス角度のヘッド７ａ，７ｃと、第２のアジマス角度のヘッド７ｂとが搭載されており、この内、第１のアジマス角度のヘッド７ａ，７ｃは、回転ドラム１９上に１８０°対向する位置に配置されており、第１のアジマス角度のヘッド７ｃと第２のアジマス角度のヘッド７ｂとはコンビネーションヘッドを構成している。」
を、
「図２に示すように、回転ドラム１９には第１のアジマス角度のヘッド７ａ，７ｃと、第２のアジマス角度のヘッド７ｂとが搭載されており、この内
、ヘ
ｂ
と訂正する。
　▲８▼訂正事項ｈ
　特許査定時の明細書の段落番号００２０に記載された「但し、回転ヘッド７ａ，７ｃは、…」を「但し、回転ヘッド７ａ，７
ｂ
　▲９▼訂正事項ｉ
　特許査定時の明細書の発明の詳細な説明における段落番号００８３に記載された
「　こうして、本磁気記録再生装置において、上記した基本のデータレートＡ［Ｍｂｐｓ］に対して異なるデータレートで供給される入力デジタル信号は、上述した第１〜第３実施例で夫々述べたように構成された回転ドラム１９〜２１を用いることにより、回転ドラムの回転数を一定に保ちつつ磁気テープＴの走行速度を可変することによって効率良く磁気テープＴ上に記録することができる。」
を、
「　こうして、本磁気記録再生装置において、上記した基本のデータレートＡ［Ｍｂｐｓ］に対して異なるデータレートで供給される入力デジタル信号は、上述した
実施例、
２比較
と訂正する。
　▲１０▼訂正事項ｊ
　特許査定時の明細書の発明の詳細な説明における段落番号００８９に記載された
「更に、所定の入力デジタル信号と異なるデータレートを有する入力デジタル信号を記録するとき従来の奇数倍時間の信号記録、再生に加え、偶数倍時間の信号記録、再生を行うことができるという効果がある。」
を、
「更に、所定の入力デジタル信号と異なるデータレートを有する入力デジタル信号を記録するとき
、繁雑な制御を行うことなく
生を
と訂正する。
　▲１１▼訂正事項ｋ
　特許査定時の明細書の発明の詳細な説明における段落番号００９１に記載された
「上述したように、請求項２記載の本発明の構成によれば、上述した効果に加え、少なくともアジマス角度の異なる回転ヘッドから構成されるコンビネーションヘッドを回転ドラム上に配置したことにより、基本データレートに対してこれより１／ｎ（ｎは自然数）少ない様々なデータレートの入力デジタル信号が供給されたときでも、テープ走行速度を可変し、更に効率よく信号を磁気テープ上に記録することができるという効果がある。」
を、
「上述したように
、第１比較例に
、少
る。
と訂正し、段落番号００６３の末尾に移動させた。
　▲１２▼訂正事項ｌ
　特許査定時の明細書の発明の詳細な説明における段落番号００９２に記載された
「上述したように、請求項３記載の本発明の構成によれば、上述した効果に加え、少なくともアシマス角度の異なる回転ヘッドから構成されるコンビネーションヘッドを回転ドラム上に１８０°対向するように配置したことにより、基本データレートに対してこれより２倍のデータレートの入力デジタル信号が供給されたときでも、テープ走行速度を可変し、更に効率よく信号を磁気テープ上に記録することができるという効果がある。」
を、
「上述したように
、第２比較例
、少
る。
と訂正し、段落番号００８２の末尾に移動させた。
（５４）【発明の名称】
磁気記録再生装置
（５７）【特許請求の範囲】
　【請求項１】
　一定に回転させる回転ドラム上に
互いに略１８０度対向して
を有する第１
を有する第２
を有し、
し再
　
前記第１のヘッドと前記第２のヘッドとを前記記録媒体上で時間的に交互に走査させて、前記入力デジタル信号を含む記録信号を記録することにより、前記第１のヘッドによるトラックと前記第２のヘッドによるトラックとを前記磁気記録媒体上に時間的に交互に形成する記録手段と、
　前記磁気記録媒体を予め定められた基準となる第１の走行速度
と前記第１の走行速度に対して１／（２ｎ＋１）倍（ｎは自然数）となる第２の走行速度とに切り換えて走行駆動させる
　
前記磁気記録媒体の走行速度を前記第１の走行速度とした第１の記録モード時には、前記第１の走行速度であることを示す情報信号を記録すると共に、前記第１のヘッドによる記録と前記第２のヘッドによる記録との間に前記記録信号の非供給期間を設けずに、前記記録信号の供給期間に前記各トラックを時間的に交互に形成して、前記記録信号として基準となるデータレートを有する入力デジタル信号
　
前記磁気記録媒体の走行速度を前記第２の走行速度とした第２の記録モード時には、前記第２の走行速度であることを示す情報信号を記録すると共に、前記第１のヘッドによる記録と前記第２のヘッドによる記録との間に前記記録信号の非供給期間を設けてトラックの非形成期間とし、前記記録信号の供給期間毎に第１、第２のヘッドによる前記各トラックの１トラック分を交互に形成して、前記記録信号として前記基準となるデータレートの１／（２ｎ＋１）倍のデータレートの入力デジタル信号
　
前記第１または第２の記録モードで記録したデジタル信号の
各記録モードに対応した
から前記各記録モードに対応した記録信号を再生するようにした
【発明の詳細な説明】
　【０００１】
　【産業上の利用分野】
　本発明は、回転ヘッドを用いて、データレートの異なる入力デジタル信号を斜めにトラックを形成しながら記録再生を行う磁気記録再生装置に関するものである。
　【０００２】
　【従来の技術】
　従来回転ヘッドを用いて磁気テープ等の磁気記録媒体に信号を記録し再生する磁気記録再生装置として、いわゆるビデオテープレコーダ（ＶＴＲ）や、デジタルテープレコーダ（ＤＡＴ）等があり、夫々映像／音声信号又はデジタル信号に変換された音声信号の高密度記録、再生を行うことができるという特長を有している。
　【０００３】
　ところで現在映像信号や音声信号、あるいはその他の情報信号を様々なデータレートのデジタル信号（ＭＰＥＧ１，ＭＰＥＧ２，ＤＶＢ，ＡＴＶ等）に変換してこれを記録、再生する用途が提案されている。
　【０００４】
　こうしたデジタル化された情報信号を効率良く記録、再生するために、オーディオ信号や音声信号をＰＣＭ信号化したものを回転ヘッドを用いて記録再生するＰＣＭ信号の記録再生装置（特開昭５９−１９５３０６号公報）、回転ヘッド方式のオーディオ用ディジタルテープレコーダ（特開昭５９−２６２１０３号公報）等が提案されている。
　【０００５】
　【発明が解決しようとする課題】
　しかしながら、上記したディジタルテープレコーダでは、基本のデータレートで処理されるデジタル信号と、これに対して１／３のデータレートで処理されるデジタル信号とを記録、再生することが述べられているが、基本のデータレートより低いそれ以外の様々なデータレートに対応した磁気記録再生装置についての開示がなかった。
　【０００６】
　また、このディジタルテープレコーダでは、異なるデータレートでデジタル信号を記録するとき、隣接するトラックの記録アジマスの関係から３倍（奇数）の長時間記録再生しかできないという不都合があった。
　【０００７】
　また、上記したＰＣＭ信号の記録再生装置では、回転ヘッドの磁気テープ当接期間分に時間圧縮されたＰＣＭ信号を磁気テープ当接期間に記録、再生するため回転ヘッドの所定の回転周期内で３回磁気テープを当接する期間において磁気テープの走行を停止させ、所定の回転周期の残りの期間は磁気テープを高速で移送させる必要から磁気テープの繁雑な制御を行わなければならないという欠点があった。
　【０００８】
　そこで、上記した欠点を解決すると共に基本のデータレートより低い様々なデータレートに対応した磁気記録再生装置の出現が望まれていた。
　【０００９】
　【課題を解決するための手段】
　よって、本発明は上記した課題を解決するため、以
下の
　一
互いに略１８０度対向して
を有する第１
を有する第２
を有し、
し再
前記第１のヘッドと前記第２のヘッドとを前記記録媒体上で時間的に交互に走査させて、前記入力デジタル信号を含む記録信号を記録することにより、前記第１のヘッドによるトラックと前記第２のヘッドによるトラックとを前記磁気記録媒体上に時間的に交互に形成する記録手段と、
と前記第１の走行速度に対して１／（２ｎ＋１）倍（ｎは自然数）となる第２の走行速度とに切り換えて走行駆動させる
前記磁気記録媒体の走行速度を前記第１の走行速度とした第１の記録モード時には、前記第１の走行速度であることを示す情報信号を記録すると共に、前記第１のヘッドによる記録と前記第２のヘッドによる記録との間に前記記録信号の非供給期間を設けずに、前記記録信号の供給期間に前記各トラックを時間的に交互に形成して、前記記録信号として基準となるデータレートを有する入力デジタル信号
前記磁気記録媒体の走行速度を前記第２の走行速度とした第２の記録モード時には、前記第２の走行速度であることを示す情報信号を記録すると共に、前記第１のヘッドによる記録と前記第２のヘッドによる記録との間に前記記録信号の非供給期間を設けてトラックの非形成期間とし、前記記録信号の供給期間毎に第１、第２のヘッドによる前記各トラックの１トラック分を交互に形成して、前記記録信号として前記基準となるデータレートの１／（２ｎ＋１）倍のデータレートの入力デジタル信号
前記第１または第２の記録モードで記録したデジタル信号の
各記録モードに対応した
から前記各記録モードに対応した記録信号を再生するようにした
。
　【００１０】
　【実施例】
　図１は本磁気記録再生装置を説明するためのブロック図、図２は本磁気記録再生装置
の実
は実
は実
１比較
１比較
１比較
２比較
２比較
２比較
。
　【００１１】
　先ず本発明なる磁気記録再生装置は、図１に示すように、図示しない伝送路から供給されるデジタル信号（入力デジタル信号）を磁気記録媒体（磁気テープ）Ｔ上にトラックパターンを形成しながら記録する信号記録系と、この信号記録系によって記録された信号を再生する信号再生系とから概略構成される。
　【００１２】
　上記した信号記録系は、上記した入力デジタル信号を本磁気記録再生装置で処理するためのデータレートに変換する入力インターフェイス手段１、入力インターフェイス手段１から出力されたデジタル信号を後述するトラック周期ごとに書き込み、読み出しを行う複数のメモリからなるメモリ部２、メモリ部２に書き込まれるデジタル信号から所定の誤り訂正符号を生成しこれをメモリ部２に供給する外符号生成回路３、メモリ部２から読み出されたデジタル信号を更に別の系列に従って所定の誤り訂正符号を生成しこれを所定ブロックのデジタル信号に付加する内符号生成回路４、内符号生成回路４から出力されたデジタル信号に対し、所定の配列でデジタル信号を磁気テープＴ上に記録するため所定のブロック毎に同期信号、識別信号（ＩＤ）を付加して磁気テープＴ上に記録するための記録変調を行うフォーマッター５、フォーマッター５が出力した変調デジタル信号を所定のゲインに増幅する記録アンプ６、記録アンプ６から出力された増幅変調デジタル信号を磁気テープＴ上に記録する回転ヘッド７ａ〜７ｄ（単にヘッドともいう。また、この回転ヘッド７ａ〜７ｄは、再生時において、後述する信号再生系に磁気テープから再生した再生信号を供給する）から構成される。
　【００１３】
　ここで、例えば、ユーザが入力手段１８から磁気テープＴの走行速度を指示入力するとこの指示が制御手段１４に供給され、制御手段１４はこの指示に基づいて磁気テープＴの走行速度を示す情報信号をフォーマッター５に供給する。フォーマッター５ではこの情報信号を上記したＩＤの情報の一部としてこれをブロック毎のデジタル信号に付加する。
　【００１４】
　また、上記した制御手段１４はこの情報信号に基づいて磁気テープＴの走行系の駆動制御を行うテープ駆動手段１５に制御信号を供給する。このテープ駆動手段１５はこの制御信号に基づいて、上記したユーザの指示入力に対応した図示しない磁気テープＴの走行系の駆動制御を行う。
　【００１５】
　更にまた、このときコントロール信号記録再生手段１６は、図示しない同期信号発生器あるいは入力デジタル信号から分離された同期信号に基づいてコントロール信号を生成し、これをコントロールヘッド１７によって磁気テープＴに記録する。
　【００１６】
　上記した信号再生系は、上記回転ヘッド７ａ〜７ｄが磁気テープＴ上を走査して得た再生信号を所定のゲインに増幅する再生アンプ８、再生アンプ８が増幅した再生信号の波形整形を施す図示しない波形等化回路、波形整形された信号からタイミング信号を抽出し、「１」，「０」の信号列を復元する図示しないＰＬＬ回路、復元された信号列から同期検出を行う図示しない同期検出回路及び記録変調の復調を行う図示しない復調回路、復調されたデジタル信号の内、上記したＩＤを検出して信号の配列を整理するデフォーマッター９、デフォーマッター９から出力されたデジタル信号の誤り訂正を行う内符号訂正回路１０、内符号訂正回路１０によって誤り訂正されたデジタル信号を上記したＩＤに従って記憶するメモリ部１１、メモリ部１１に記憶されたデジタル信号を付加された外符号に沿って所定の誤り訂正を行い、訂正した情報をメモリ部１１に供給する外符号訂正回路１２、メモリ部１１から読み出されたデジタル信号を所望の外部データレートに変換する出力インターフェイス手段１３とから構成される。
　【００１７】
　ここで、上記したデフォーマッター９は検出されたＩＤの内、磁気テープＴの走行速度を示す情報信号を上記した制御手段１４に供給し、制御手段１４はこの速度情報によってテープ駆動手段１５に制御信号を供給し、テープ駆動手段１５はこの制御信号に基づいて磁気テープＴの走行系の駆動制御を行う。
　【００１８】
　
（実
　さて、次に本磁気記録再生装置
の実
　【００１９】
　図２に示すように、回転ドラム１９には第１のアジマス角度のヘッド７ａ，７ｃと、第２のアジマス角度のヘッド７ｂとが搭載されており、この内
、ヘ
ｂ
　【００２０】
　但し、上記した回転ヘッド７ａ，７
ｂ
　また、上記した回転ヘッド７ｂ，７ｃは、機械的な取り付けの制約で実際には完全に３６０°の位置に取り付けられること（完全に同一の位置とすること）は不可能なので、可能な範囲で近接した位置に取り付けられる。そこで、必要に応じて記録信号の記録開始時刻をヘッド毎に可変し、トラックが同じ高さ（水平方向の）に形成されるようにすることができる。
　【００２１】
　さて、本磁気記録再生装置に、例えばデータレートＡ［Ｍｂｐｓ］のデジタル信号が供給されたとき、これを基本のデータレートとして標準の磁気テープ走行速度で記録する場合を説明する。また、このとき回転ドラム１９の回転数は一定に保たれているものとする。
　【００２２】
　このとき、ユーザは上記した入力手段１８により標準の磁気テープ走行速度である第１のテープ走行速度でデジタル信号を記録する指示入力を行う。上記した信号記録系に供給された入力デジタル信号は上記した信号処理を経て増幅変調デジタル信号として図示しないヘッド切り換えスイッチに供給される。
　【００２３】
　また、これと同時に上記した制御手段１４はこの指示入力に基づいてテープ駆動手段１５を制御し、磁気テープＴを第１のテープ走行速度で走行させる。ここで、磁気テープＴはこの回転ドラム１９上に略１８０°に亘って巻き付けられており、標準の磁気テープ走行速度とは、例えば、回転ドラム１９が半回転するときに第１のアジマス角度の回転ヘッド７ａが磁気テープＴ上にトラックパターンを１つ形成し、その後回転ドラム１９が半回転するときに第２のアジマス角度の回転ヘッド７ｂがこのトラックパターンに隣接する位置に別のトラックパターンを１つ形成するために必要な磁気テープの移動量とする（図４）。
　【００２４】
　このときの信号記録系の動作を図３のタイミングチャートに沿って説明する。上記した入力インターフェイス１を介して供給された入力デジタル信号（ａ〜ｃ）は、図３に示すように、回転ドラム１９の回転に同期したトラック周期毎に上記したメモリ部２内の第１のメモリ（メモリ部２内に構成される複数のメモリの内の一つ）に書き込みが行われる（同図中のメモリ書き込み；ａの部分）。メモリに書き込みが行われた次の半トラック周期で記憶されたデジタル信号に対する外符号が外符号生成回路３により生成され、このメモリに供給される（同図中の外符号生成）。一方で、上記したメモリ部２内の別の第２のメモリに書き込みがが行われる（同図中のメモリ書き込み；ｂの部分）。
　【００２５】
　更に、次の半トラック周期で上記した第１のメモリから外符号が付加されたデジタル信号が読み出されると、このデジタル信号は内符号生成回路４に供給され、内符号を付加された後、上記したフォーマッター５、記録アンプ６を介して（同図中の内符号生成〜記録変調）増幅変調デジタル信号として磁気テープＴ上に記録される（同図中の記録信号）。この一方で、上記した第２のメモリに記憶されたデジタル信号に外符号が付加され、上記したメモリ部２内の別の第３のメモリに書き込みがが行われる（同図中のメモリ書き込み；ｃの部分）。そして、以下このタイミングに沿って磁気テープＴ上に信号記録が行われる。
　【００２６】
　実際には、図４に示すように、回転ドラム１９の回転に応じて第１のアジマス角度の回転ヘッド７ａと第２のアジマス角度の回転ヘッド７ｂとが交互に磁気テープＴ上を走査するとき、図示しないヘッド切り換えスイッチが増幅変調デジタル信号を各回転ヘッドに供給することで、磁気テープＴ上にトラックパターンを順次形成しながらこの増幅変調デジタル信号を記録していく。
　【００２７】
　次に、本磁気記録再生装置に、例えばデータレートＡ／２［Ｍｂｐｓ］のデジタル信号が供給されたとき、これを上記した標準の磁気テープ走行速度の１／２のテープ走行速度で記録する場合を説明する。また、このとき回転ドラム１９の回転数は一定に保たれているものとする。
　【００２８】
　このとき、ユーザが上記した入力手段１８により第２のテープ走行速度（例えば第１のテープ走行速度の１／２）でデジタル信号を記録するよう指示入力を行う。上記した信号記録系に供給された入力デジタル信号は、上記した信号処理を経て増幅変調デジタル信号として図示しないヘッド切り換えスイッチに供給される。また、これと同時に上記した制御手段１４はこの指示入力に基づいてテープ駆動手段１５を制御し、磁気テープＴを第２のテープ走行速度で走行させる。
　【００２９】
　上記した入力インターフェイス１を介して供給された入力デジタル信号（ａ〜ｃ）は、図５に示すように、回転ドラム１９の回転に同期したトラック周期で上記したメモリ部２内の第１のメモリ（メモリ部２内に構成される複数のメモリの内の一つ）に書き込みが行われ（同図中のメモリ書き込み；ａの部分）、この次の半トラック周期では第１のメモリに記憶された信号が保持された状態を保つ。次の半トラック周期で記憶されたデジタル信号に対する外符号が外符号生成回路３により生成され、このメモリに供給（同図中の外符号生成）される一方で、上記したメモリ部２内の別の第２のメモリに書き込みがが行われる（同図中のメモリ書き込み；ｂの部分）。
　【００３０】
　更に、次の半トラック周期で上記した第１のメモリから外符号が付加されたデジタル信号が読み出されると、このデジタル信号は内符号生成回路４に供給され、内符号を付加された後、上記したフォーマッター５、記録アンプ６を介して（同図中の内符号生成〜記録変調）増幅変調デジタル信号として磁気テープＴ上に記録される（同図中の記録信号）。この一方で、上記した第２のメモリに記憶されたデジタル信号は保持された状態に保たれる。
　【００３１】
　そして更に、次の半トラック周期で第２のメモリに記憶されたデジタル信号に外符号が付加され、上記したメモリ部２内の別の第３のメモリに書き込みがが行われる（同図中のメモリ書き込み；ｃの部分）。そして、以下このタイミングに沿って磁気テープＴ上に信号記録が行われる。
　【００３２】
　即ち、上記したデータレートＡ［Ｍｂｐｓ］のデジタル信号の記録時とデータレートＡ／２［Ｍｂｐｓ］のデジタル信号の記録時とでは、上記したメモリから外符号を付加したデジタル信号を読み出しこれを磁気テープ上に記録するタイミングが２倍のトラック周期毎になる。こうして、上記した信号記録系に供給された入力デジタル信号は上記した信号処理を経て増幅変調デジタル信号として図示しないヘッド切り換えスイッチに供給される。
　【００３３】
　このとき、コンビネーションヘッドを構成する第２のアジマス角度のヘッド７ｂと第１のアジマスのヘッド７ｃを用いて、図６に示すように、回転ドラム１９が１回転する時に第２のアジマスのヘッド７ｂを用いてトラックパターンを形成し、次の１回転するときに第１のアジマスのヘッド７ｃを用いてトラックを形成し記録を行う。
　【００３４】
　ここで、回転ドラム１９が半回転する間には、図示しないヘッド切り換え手段によって第２のアジマスのヘッド７ｂに記録信号ａが供給され、図６中のトラックパターンを形成する。そして、次の半回転で第１のアジマスのヘッド７ａが同図中点線図示のトラックパターンを形成するため、このときこのヘッド７ａには増幅変調デジタル信号を供給しない。また、次の１回転するときに第１のアジマスのヘッド７ｃに記録信号ｂが供給され、次のトラックパターンを形成する。
　こうして、図６に示すようなトラックパターンが磁気テープＴ上に形成される。
　次に、本磁気記録再生装置に、例えばデータレートＡ／５［Ｍｂｐｓ］のデジタル信号が供給されたとき、これを上記した標準の磁気テープ走行速度の１／５のテープ走行速度で記録する場合を説明する。また、このとき回転ドラム１９の回転数は一定に保たれているものとする。
　【００３５】
　このとき、ユーザが上記した入力手段１８により第３のテープ走行速度（例えば第１のテープ走行速度の１／５）でデジタル信号を記録する指示入力を行う。上記した信号記録系に供給された入力デジタル信号は上記した信号処理を経て増幅変調デジタル信号として図示しないヘッド切り換えスイッチに供給される。また、これと同時に上記した制御手段１４はこの指示入力に基づいてテープ駆動手段１５を制御し、磁気テープＴを第３のテープ走行速度で走行させる。
　【００３６】
　上記した入力インターフェイス１を介して供給された入力デジタル信号（ａ〜ｃ）は、図７に示すように、回転ドラム１９の回転に同期したトラック周期で上記したメモリ部２内の第１のメモリ（メモリ部２内に構成される複数のメモリの内の一つ）に書き込みが行われ（同図中のメモリ書き込み；ａの部分）、以下２．５トラック周期分は第１のメモリに記憶された信号が保持された状態を保つ。
　第１のメモリにデジタル信号が記憶されてから５半トラック周期目でこのメモリに記憶されたデジタル信号に対する外符号が外符号生成回路３により生成され、このメモリに供給（同図中の外符号生成）される。一方で、上記したメモリ部２内の別の第２のメモリに書き込みがが行われ（同図中のメモリ書き込み；ｂの部分）、以下２．５トラック周期分はこのメモリに保持された状態を保つ。
　【００３７】
　最初に第１のメモリにデジタル信号が記憶されてから２．５トラック周期目において第１のメモリから外符号が付加されたデジタル信号が読み出されると、このデジタル信号は内符号生成回路４に供給され、内符号を付加された後、上記したフォーマッター５、記録アンプ６を介して（図７中の内符号生成〜記録変調）増幅変調デジタル信号として磁気テープＴ上に記録される（図７中の記録信号）。
　【００３８】
　第２のメモリにデジタル信号が記憶されてから５トラック周期目でこのメモリから外符号が付加されたデジタル信号が読み出されると、外符号が外符号生成回路３により生成され、このメモリに供給される。一方で、上記したメモリ部２内の別の第３のメモリに書き込みがが行われ（同図中のメモリ書き込み；ｃの部分）、以下２．５トラック周期分はこのメモリに保持された状態を保つ。
　【００３９】
　最初に第１のメモリにデジタル信号が記憶されてから２．５トラック周期目において第２のメモリから外符号が付加されたデジタル信号が読み出されると、このデジタル信号は内符号生成回路４に供給され、内符号を付加された後、上記したフォーマッター５、記録アンプ６を介して増幅変調デジタル信号として磁気テープＴ上に記録される。そして、以下このタイミングに沿って磁気テープＴ上に信号記録が行われる。
　【００４０】
　即ち、上記したデータレートＡ［Ｍｂｐｓ］のデジタル信号の記録時とデータレートＡ／５［Ｍｂｐｓ］のデジタル信号の記録時とでは、上記したメモリから外符号を付加したデジタル信号を読み出しこれを磁気テープ上に記録するタイミングが５倍の半トラック周期毎になる。こうして、上記した信号記録系に供給された入力デジタル信号は上記した信号処理を経て増幅変調デジタル信号として図示しないヘッド切り換えスイッチに供給される。
　【００４１】
　このとき、第１のアジマス角度のヘッド７ａとコンビネーションヘッドを構成する第２のアジマスのヘッド７ｂを用いて、図８に示すように、回転ドラム１９が２回転半する毎に第１のアジマス角度のヘッド７ａを用いてトラックパターンを形成し、第１のアジマス角度のヘッド７ａがトラックパターンを形成してから２回転半する毎に第２のアジマスのヘッド７ｂを用いてトラックを形成し記録を行う。
　【００４２】
　ここで、回転ドラム１９が１回転する時は、図示しないヘッド切り換え手段によって第１のアジマスのヘッド７ａに増幅変調デジタル信号を供給し磁気テープＴ上にトラックパターンを形成するが第２のアジマスのヘッド７ｂには増幅変調デジタル信号を供給しない。次の１回転するときにはヘッド切り換え手段は第１、第２のアジマスのヘッド７ａ，７ｂに増幅変調デジタル信号を供給しない。同図中点線図示のトラックパターンでは、書き込みが行われないのでトラックは形成されない。
　そして、次に回転ドラム１９が回転を始めるときは第１のアジマス角度のヘッド７ａがトラックパターンを形成してから２回転半に相当するので、このとき第２のアジマスのヘッド７ｂに増幅変調デジタル信号を供給する。
　【００４３】
　こうして、図８に示すようなトラックパターンが磁気テープＴ上に形成される。従って、例えば、本磁気記録再生装置に供給される入力デジタル信号のデータレートが、基本となるデジタル信号のデータレートの１／ｎ（ｎは自然数）に変化した場合、上記したメモリから外符号を付加したデジタル信号を読み出すタイミングを半トラック周期のｎ倍に可変すると共に、上述したように磁気テープＴの走行速度を可変することにより、入力デジタル信号のデータレートが標準のデータレートに対して少なくなったときでもデジタル信号を効率良く磁気テープＴ上に記録することができる。
　【００４４】
　またこうして磁気テープＴ上に記録された信号を、夫々記録されたときのテープ走行速度で再生し、上記した信号再生系を介することによって記録されたデジタル信号を再生することができる。
　【００４５】
　尚、上記したように磁気テープＴ上に記録された信号は、再生時、上記した回転ヘッド７ａ〜７ｃによって再生され、上記した信号再生系に供給される。そして、この信号再生系において、例えば、デフォーマッター９によって復調された記録信号から上記したＩＤを検出し、これに含まれる情報信号から記録時のテープ走行速度が識別されるので、この識別結果を上記した制御手段１４に供給することで、磁気テープＴを記録時と同じ走行速度にて走行制御する。こうして、デフォーマッター９で復調された再生信号は上記した外符号訂正、内符号訂正の処理を経て、出力デジタル信号として出力インターフェイスから図示しない伝送路に出力される。
　【００４６】
　（第
１比較
　さて、次に本磁気記録再生装置の第
１比較
　【００４７】
　図９に示すように、回転ドラム２０には第１のアジマス角度のヘッド７ａと、第２のアジマス角度のヘッド７ｂとが搭載されており、第１のアジマス角度のヘッド７ａと第２のアジマス角度のヘッド７ｂとはコンビネーションヘッドを構成している。
　【００４８】
　但し、上記した回転ヘッド７ａ，７ｂは、機械的な取り付けの制約で実際には完全に３６０°の位置に取り付けられること（完全に同一の位置とすること）は不可能なので可能な範囲で近接した位置に取り付けられ、必要に応じて記録信号の記録開始時刻をヘッド毎に可変し、トラックが同じ高さ（水平方向の）に形成されるようにすることができる。更にこのとき、回転ヘッド７ａ，７ｂは、本磁気記録再生装置において形成されるトラックピッチ（トラックパターンの幅）だけ異なる高さに取り付けられる。
　【００４９】
　さて、本磁気記録再生装置に、例えばデータレートＡ［Ｍｂｐｓ］のデジタル信号が供給されたとき、これを基本のデータレートとして標準の磁気テープ走行速度で記録する場合を説明する。また、このとき回転ドラム２０の回転数は一定に保たれているものとする。
　【００５０】
　このとき、ユーザは上記した入力手段１８により標準の磁気テープ走行速度である第１のテープ走行速度でデジタル信号を記録する指示入力を行う。上記した信号記録系に供給された入力デジタル信号は上記した信号処理を経て増幅変調デジタル信号として図示しないヘッド切り換えスイッチに供給される。
　【００５１】
　また、これと同時に上記した制御手段１４はこの指示入力に基づいてテープ駆動手段１５を制御し、磁気テープＴを第１のテープ走行速度で走行させる。ここで、磁気テープＴはこの回転ドラム２０上に略１８０°に亘って巻き付けられており、標準の磁気テープ走行速度とは、ここでいう第１のテープ走行速度であり、上記した回転ドラム２０が１回転する間に図１１に示すトラックパターンを１つ形成し、次に回転ドラム２０が１回転するときにこのトラックパターンに隣接する位置に別のトラックパターンを１つ形成するために必要な磁気テープの移動量とする。
　【００５２】
　このときの信号記録系の動作を図１０のタイミングチャートに沿って説明する。上記した入力インターフェイス１を介して供給された入力デジタル信号（ａ〜ｄ）は、図１０に示すように、回転ドラム２０の回転に同期したトラック周期毎に上記したメモリ部２内の第１のメモリ（メモリ部２内に構成される複数のメモリの内の一つ）に書き込みが行われる（同図中のメモリ書き込み；ａの部分）。
　メモリに書き込みが行われた次の半トラック周期で記憶されたデジタル信号に対する外符号が外符号生成回路３により生成され、このメモリに供給される（同図中の外符号生成）。一方で、上記したメモリ部２内の別の第２のメモリに書き込みがが行われる（同図中のメモリ書き込み；ｂの部分）。
　【００５３】
　次の半トラック周期で上記した第２のメモリに記憶されたデジタル信号に対する外符号が外符号生成回路３により生成され、このメモリに供給される。一方で、上記したメモリ部２内の別の第３のメモリに書き込みがが行われる（同図中のメモリ書き込み；ｃの部分）。
　【００５４】
　更に、次の半トラック周期で上記した第３のメモリに記憶されたデジタル信号に対する外符号が外符号生成回路３により生成され、このメモリに供給される。一方で、上記したメモリ部２内の別の第４のメモリに書き込みがが行われる（同図中のメモリ書き込み；ｄの部分）。また、このとき上記した第１のメモリ及び第２のメモリから外符号が付加されたデジタル信号が夫々読み出されると、このデジタル信号は内符号生成回路４に同時に供給され、第１の系統、第２の系統に分けて内符号を付加された後、上記したフォーマッター５、記録アンプ６を介して（同図中の内符号生成〜記録変調（第１の系統、第２の系統））増幅変調デジタル信号として磁気テープＴ上に記録される（同図中の記録信号）。そして、以下このタイミングに沿って磁気テープＴ上に信号記録が行われる。
　【００５５】
　実際には、回転ドラム２０の回転に応じて第１のアジマス角度の回転ヘッド７ａと第２のアジマス角度の回転ヘッド７ｂとが同時に磁気テープＴ上を走査するとき、ヘッド切り換えスイッチが増幅変調デジタル信号を各回転ヘッドに供給することで、磁気テープＴ上にトラックパターンを順次形成しながらこの増幅変調デジタル信号を記録していく。
　【００５６】
　次に、本磁気記録再生装置に、例えばデータレートＡ／２［Ｍｂｐｓ］のデジタル信号が供給されたとき、これを上記した標準の磁気テープ走行速度の１／２のテープ走行速度で記録する場合を説明する。また、このとき回転ドラム２０の回転数は一定に保たれているものとする。
　【００５７】
　このとき、ユーザが上記した入力手段１８により第２のテープ走行速度（例えば第１のテープ走行速度の１／２）でデジタル信号を記録するよう指示入力を行う。上記した信号記録系に供給された入力デジタル信号は、上記した信号処理を経て信号記録系から出力され、増幅変調デジタル信号として図示しないヘッド切り換えスイッチに供給される。また、これと同時に上記した制御手段１４はこの指示入力に基づいてテープ駆動手段１５を制御し、磁気テープＴを第２のテープ走行速度で走行させる。
　【００５８】
　上記した入力インターフェイス１を介して供給された入力デジタル信号（ａ〜ｄ）は、図１２に示すように、回転ドラム２０の回転に同期したトラック周期で上記したメモリ部２内の第１のメモリ（メモリ部２内に構成される複数のメモリの内の一つ）に書き込みが行われ（同図中のメモリ書き込み；ａの部分）、この次の半トラック周期では第１のメモリに記憶された信号が保持された状態を保つ。
　【００５９】
　次の半トラック周期で、記憶されたデジタル信号に対する外符号が外符号生成回路３により生成され、このメモリに供給（同図中の外符号生成）される一方で、上記したメモリ部２内の別の第２のメモリに書き込みがが行われる（同図中のメモリ書き込み；ｂの部分）。この第２のメモリに記憶された信号は、次の半トラック周期まで保持された状態を保つ。
　【００６０】
　そして、次の半トラック周期で第２のメモリに記憶された信号に対する外符号が外符号生成回路３により生成され、このメモリに供給される一方で、上記したメモリ部２内の別の第３のメモリに書き込みがが行われる（同図中のメモリ書き込み；ｃの部分）。このときこの第３のメモリに記憶された信号は、次のトラック周期まで保持された状態を保つ。
　【００６１】
　更に、次の半トラック周期で第１及び第２のメモリからデジタル信号を夫々読み出し、内符号生成と共に記録変調を行い（内符号生成〜記録変調；第１，第２系列）、得た増幅変調デジタル信号を図示しないヘッド切り換えスイッチに夫々供給する。このときヘッド切り換えスイッチは、読み出された第１系列の増幅変調デジタル信号を第１のアジマス角度の回転ヘッド７ａに、第２系列の増幅変調デジタル信号を第２のアジマス角度の回転ヘッド７ｂに夫々供給し、この回転ヘッド７ａ，７ｂが信号を磁気テープＴ上に記録する。そして、以下このタイミングに沿って磁気テープＴ上に信号記録が行われる。
　【００６２】
　即ち、本磁気記録再生装置は、図１２に示すように、第１のメモリに信号が書き込まれてから２周期毎に磁気テープＴ上に信号記録を行うので、上記した第２のテープ走行速度において、図１３に示すトラックパターンを形成しながらが第１，第２系列の増幅変調デジタル信号を磁気テープＴ上に記録することができる。
　【００６３】
　尚、上記したように磁気テープＴ上に記録された信号は、再生時、上記した回転ヘッド７ａ〜７ｃによって再生され、上記した信号再生系に供給される。そして、この信号再生系において、例えば、デフォーマッター９によって復調された記録信号から上記したＩＤを検出し、これに含まれる情報信号から記録時のテープ走行速度が識別されるので、この識別結果を上記した制御手段１４に供給することで、磁気テープＴを記録時と同じ走行速度にて走行制御する。こうして、デフォーマッター９で復調された再生信号は上記した外符号訂正、内符号訂正の処理を経て、出力デジタル信号として出力インターフェイスから図示しない伝送路に出力される。
　
上述したように、第１比較例によれば、少なくともアジマス角度の異なる回転ヘッドから構成されるコンビネーションヘッドを回転ドラム上に配置したことにより、基本データレートに対してこれより１／ｎ（ｎは自然数）少ない様々なデータレートの入力デジタル信号が供給されたときでも、テープ走行速度を可変し、更に効率よく信号を磁気テープ上に記録することができる。
　【００６４】
　（第
２比較
　さて、次に本磁気記録再生装置の第
２比較
　【００６５】
　図１４に示すように、回転ドラム２１には第１のアジマス角度のヘッド７ａと、第２のアジマス角度のヘッド７ｃとが第１のコンビネーションヘッドとして搭載されており、第１のアジマス角度のヘッド７ｂと、第２のアジマス角度のヘッド７ｄとが第２のコンビネーションヘッドとして搭載されている。
　【００６６】
　但し、上記したコンビネーションヘッド７ａ〜７ｄは、機械的な取り付けの制約で実際には可能な範囲で近接した位置に取り付けられ、必要に応じて記録信号の記録開始時刻をヘッド毎に可変し、トラックが同じ高さ（水平方向の）に形成されるようにする。更にこのとき、コンビネーションヘッド７ａ〜７ｄは、本磁気記録再生装置において形成されるトラックピッチ（トラックパターンの幅）だけ異なる高さに取り付けられる。
　【００６７】
　さて、本磁気記録再生装置に、例えばデータレートＡ［Ｍｂｐｓ］のデジタル信号が供給されたとき、これを基本のデータレートとして標準の磁気テープ走行速度で記録する場合を説明する。また、このとき回転ドラム２１の回転数は一定に保たれているものとする。
　【００６８】
　このとき、ユーザは上記した入力手段１８により標準の磁気テープ走行速度である第１のテープ走行速度でデジタル信号を記録する指示入力を行う。上記した信号記録系に供給された入力デジタル信号は上記した信号処理を経て増幅変調デジタル信号として図示しないヘッド切り換えスイッチに供給される。
　【００６９】
　また、これと同時に上記した制御手段１４はこの指示入力に基づいてテープ駆動手段１５を制御し、磁気テープＴを第１のテープ走行速度で走行させる。ここで、磁気テープＴはこの回転ドラム２１上に略１８０°に亘って巻き付けられており、標準の磁気テープ走行速度とは、例えば、回転ドラム２１が半回転するときに第１のコンビネーションヘッドが磁気テープＴ上にトラックパターンを１つ形成する間に進む距離である。即ち、ここでいう第１のテープ走行速度は、上記した回転ドラム２１が１回転する間に図１６に示すトラックパターンを１つ形成し、次に回転ドラム２１が１回転するときにこのトラックパターンに隣接する位置に別のトラックパターンを１つ形成するために必要な磁気テープＴの移動量とする。
　【００７０】
　このときの信号記録系の動作を図１５のタイミングチャートに沿って説明する。上記した入力インターフェイス１を介して供給された入力デジタル信号（ａ〜ｄ）は、図１５に示すように、回転ドラム２１の回転に同期したトラック周期毎に上記したメモリ部２内の第１のメモリ（メモリ部２内に構成される複数のメモリの内の一つ）に書き込みが行われる（同図中のメモリ書き込み；ａの部分）。
　メモリに書き込みが行われた次の半トラック周期で記憶されたデジタル信号に対する外符号が外符号生成回路３により生成され、このメモリに供給される（同図中の外符号生成）。一方で、上記したメモリ部２内の別の第２のメモリに書き込みがが行われる（同図中のメモリ書き込み；ｂの部分）。
　【００７１】
　次の半トラック周期で上記した第２のメモリに記憶されたデジタル信号に対する外符号が外符号生成回路３により生成され、このメモリに供給される。一方で、上記したメモリ部２内の別の第３のメモリに書き込みがが行われる（同図中のメモリ書き込み；ｃの部分）。
　【００７２】
　更に、次の半トラック周期で上記した第３のメモリに記憶されたデジタル信号に対する外符号が外符号生成回路３により生成され、このメモリに供給される。一方で、上記したメモリ部２内の別の第４のメモリに書き込みがが行われる（同図中のメモリ書き込み；ｄの部分）。また、このとき上記した第１，第２のメモリから外符号が付加されたデジタル信号が夫々読み出されると、このデジタル信号は内符号生成回路４に同時に夫々供給され、第１，第２系統に分けて内符号が夫々付加された後、上記したフォーマッター５、記録アンプ６を介して（同図中の内符号生成〜記録変調（第１系統、第２系統））増幅変調デジタル信号として図示しないヘッド切り換えスイッチに供給される。
　【００７３】
　ヘッド切り換えスイッチは、例えば、第１，第２系統の増幅変調デジタル信号を夫々第１のアジマス角度の回転ヘッド７ａ及び第２のアジマス角度の回転ヘッド７ｃに同時に供給し、次の１トラック周期で第１，第２系統の増幅変調デジタル信号を夫々第１のアジマス角度の回転ヘッド７ｂ及び第２のアジマス角度の回転ヘッド７ｄに同時に供給する。
　そして、上記した第１，第２のコンビネーションヘッドは、図１６に示すようなトラックパターンを形成しながら磁気テープＴ上に増幅変調デジタル信号を記録する。以下このタイミングに沿って信号記録を行う。
　【００７４】
　次に、本磁気記録再生装置に、例えばデータレート２Ａ［Ｍｂｐｓ］のデジタル信号が供給されたとき、これを上記した標準の磁気テープ走行速度の２倍のテープ走行速度で記録する場合を説明する。また、このとき回転ドラム２１の回転数は一定に保たれているものとする。
　【００７５】
　このとき、ユーザが上記した入力手段１８により第２のテープ走行速度（例えば第１のテープ走行速度の２倍）でデジタル信号を記録するよう指示入力を行う。上記した信号記録系に供給された入力デジタル信号は、上記した信号処理を経て信号記録系から出力され、増幅変調デジタル信号として図示しないヘッド切り換えスイッチに供給される。また、これと同時に上記した制御手段１４はこの指示入力に基づいてテープ駆動手段１５を制御し、磁気テープＴを第２のテープ走行速度で走行させる。
　【００７６】
　このときの信号記録系の動作を図１７のタイミングチャートに沿って説明する。上記した入力インターフェイス１を介して供給された入力デジタル信号（ａ〜ｆ）は、図１７に示すように、回転ドラム２１の回転に同期したトラック周期毎に上記したメモリ部２内の第１〜第６のメモリ（メモリ部２内に構成される複数のメモリ）に書き込みが行われる（同図中のメモリ書き込み；ａ〜ｆの部分）。例えば、第１，第４のメモリに書き込みが夫々行われた次の半トラック周期で記憶されたデジタル信号に対する外符号が外符号生成回路３により夫々生成され、第１，第４のメモリに夫々供給される（同図中の外符号生成）。一方で、このタイミングで上記したメモリ部２内の別の第２，第５のメモリに書き込みがが夫々行われる。
　【００７７】
　次の半トラック周期で上記した第２，第５のメモリに夫々記憶されたデジタル信号に対する外符号が外符号生成回路３により夫々生成され、第２，第５のメモリに供給される。一方で、上記したメモリ部２内の別の第３，第６のメモリに書き込みがが夫々行われる。このとき第１，第４のメモリに夫々記憶されたデジタル信号は、第１，第２系列に分けて内符号が夫々付加された後、上記したフォーマッター５、記録アンプ６を介して（同図中の内符号生成〜記録変調（第１系統、第２系統））増幅変調デジタル信号としてヘッド切り換えスイッチに供給されると同時に第１あるいは第２のコンビネーションヘッド（例えば、このとき第１のコンビネーションヘッド）に供給される（記録信号（第１系統、第２系統））。
　【００７８】
　更に、次の半トラック周期で上記した第３，第６のメモリに夫々記憶されたデジタル信号に対する外符号が外符号生成回路３により夫々生成され、第３，第６のメモリに供給される。一方で、第２，第５のメモリに夫々記憶されたデジタル信号は、第１，第２系列に分けて読み出され、上記したような内符号生成〜記録変調を経て増幅変調デジタル信号としてヘッド切り換えスイッチに供給されると同時に、例えば、第２のコンビネーションヘッドに供給される。そして、このとき第１，第４のメモリには連続的に供給される入力デジタル信号が夫々記憶される。
　【００７９】
　ヘッド切り換えスイッチは上記した半トラック周期毎に、第１，第２系統の増幅変調デジタル信号を上記した第１，第２のコンビネーションヘッドに切り換え供給することによって、回転ドラム２１の回転に同期したタイミングで、図１８に示す磁気テープＴ上のトラックパターンに記録すべき増幅変調デジタル信号が記録される。
　【００８０】
　このとき、磁気テープＴは第２のテープ走行速度（第１のテープ走行速度の２倍）で走行しているため、例えば、回転ドラム２１の最初の回転で第１，第２のアジマスのヘッド７ａ，７ｃがトラックパターンを磁気テープＴ上に形成し、次の半回転で第１，第２のアジマスのヘッド７ｂ，７ｄが次のトラックパターンを磁気テープＴ上に形成する。こうして、第２のテープ走行速度において、第１，第２のアジマスのヘッド７ａ〜７ｄは、磁気テープＴ上に順次トラックパターンを形成しながら信号を記録していく。
　【００８１】
　尚、上記したように磁気テープＴ上に記録された信号は、再生時、上記した回転ヘッド７ａ〜７ｄによって再生され、上記した信号再生系に供給される。そして、この信号再生系において、例えば、デフォーマッター９によって復調された記録信号から上記したＩＤを検出し、これに含まれる情報信号から記録時のテープ走行速度が識別されるので、この識別結果を上記した制御手段１４に供給することで、磁気テープＴを記録時と同じ走行速度にて走行制御する。こうして、デフォーマッター９で復調された再生信号は上記した外符号訂正、内符号訂正の処理を経て、出力デジタル信号として出力インターフェイスから図示しない伝送路に出力される。
　【００８２】
　尚ここで、上記した外符号訂正と、内符号訂正の処理は、上記した方法に限定されないことは勿論であり、例えば、回転ヘッドが上記したトラックパターンを正確に走査しているときは、上記したトラック周期期間毎に外符号訂正と内符号訂正とが終了した信号をメモリに書き込んでも良いし、また、例えば、回転ヘッドが上記したトラックパターンを正確に走査している／いないに関わらず、内符号訂正が終了した信号をメモリに書き込んで、１トラック周期に相当する信号のデータ量がメモリに書き込まれた時点で外符号訂正を行っても良いことは勿論である。
　
上述したように、第２比較例によれば、少なくともアジマス角度の異なる回転ヘッドから構成されるコンビネーションヘッドを回転ドラム上に１８０°対向するように配置したことにより、基本データレートに対してこれより２倍のデータレートの入力デジタル信号が供給されたときでも、テープ走行速度を可変し、更に効率よく信号を磁気テープ上に記録することができる。
　【００８３】
　こうして、本磁気記録再生装置において、上記した基本のデータレートＡ［Ｍｂｐｓ］に対して異なるデータレートで供給される入力デジタル信号は、上述した
実施例、
２比較
　【００８４】
　また、本磁気記録再生装置において、上述したように磁気テープＴ上に記録されたデジタル信号は、上記した信号再生系によって再生、復調されることにより、入力デジタル信号とほぼ同様な再生デジタル信号として再生される。
　【００８５】
　ところで、回転ヘッドを用いる磁気記録再生装置は、再生時に、回転ヘッドが常に磁気テープ上のトラックパターンを正確に走査する必要があるため、磁気テープ上の任意のトラック（例えば、コントロールトラック）にコントロール信号を記録再生するものがある。そこで、このような磁気記録再生装置において、例えば、記録時に磁気テープ上に信号を記録するときとしないときとで、このコントロール信号を可変（例えば、信号波形を変化、あるいは信号のデューティー比を可変）して磁気テープ上のコントロールトラックに記録することにより、コントロール信号の検出に基づいて信号が記録されたトラックのみを走査して再生信号を得るように制御したり、磁気テープＴの走行時間を計測したり、磁気テープＴの残量の検出等を行っても良いことは勿論である。
　【００８６】
　尚、上記した回転ヘッドの構成は、上記したものに限定されないことは勿論であり、様々な場合が考えられるが、そのとき、回転ヘッドの構成に対応して上記したトラック周期毎の信号処理を行うことにより基本のデータレートで供給される入力デジタル信号、あるいは異なるデータレートで供給される入力デジタル信号を夫々記録、再生しても良いことは勿論である。
　【００８７】
　【発明の効果】
　上述したように、請求項１記載の本発明の構成によれば、所定の入力デジタル信号のデータレートを基本データレートとして、これと異なるデータレートを有する入力デジタル信号を記録する際、磁気テープの走行速度をこのデータレートに応じて可変して記録を行うことにより効率よく信号を磁気テープ上に記録することができるという効果がある。
　【００８８】
　また、このとき所定の入力デジタル信号を記録するときの磁気テープ走行速度を第１の走行速度として、また、これと異なるデータレートを有する入力デジタル信号を記録するときの磁気テープ走行速度を第２の走行速度として夫々に対応する速度情報信号を入力デジタル信号と共に記録することができるため、再生時、この速度情報信号を検出し識別することにより記録された信号を入力デジタル信号とほぼ同様の再生デジタル信号を得ることができるという効果がある。
　【００８９】
　更に、所定の入力デジタル信号と異なるデータレートを有する入力デジタル信号を記録するとき
、繁雑な制御を行うことなく
又は
　【００９０】
　更にまた、記録時、再生時共に回転ドラムの回転は一定であるため、回転ドラムの回転数変化に応じて生じる回転ドラムと磁気テープ間に形成されるエアーフィルムの影響が低減され、再生時の磁気反転間隔の変化に伴う再生波形の調整等を行う繁雑な操作が省略されるという効果がある。
【図面の簡単な説明】
　【図１】
　本磁気記録再生装置を説明するためのブロック図である。
　【図２】
　本磁気記録再生装置
の実施
　【図３】
　実
　【図４】
　実
　【図５】
　実
　【図６】
　実
　【図７】
　実
　【図８】
　実
　【図９】
　本磁気記録再生装置の第
１比較
　【図１０】
　第
１比較
　【図１１】
　第
１比較
　【図１２】
　第
１比較
　【図１３】
　第
１比較
　【図１４】
　本磁気記録再生装置の第
２比較
　【図１５】
　第
２比較
　【図１６】
　第
２比較
　【図１７】
　第
２比較
　【図１８】
　第
２比較
　【符号の説明】
　１　切り換えスイッチ（記録手段）
　２　記録アンプ（記録手段）
　３　切り換えスイッチ（記録手段／検出手段）
　４ａ，４ｂ　磁気ヘッド
　６　磁気記録媒体
　８　プリアンプ（検出手段）
　９　再生ＦＭ検波器（検出手段）
　１０　制御手段
　１１　メモリ（記憶手段）
　１２　使用時間検知手段